(57)【要約】      （修正有）【課題】ソフトハンドオーバー領域に位置したＵＥから上りリンクトラヒック伝送を効率的に制御してスケジューリングするための最適のスケジューリングＮｏｄｅ Ｂを選択する方法及び装置に関する。【解決手段】ＵＥは、アクティブセットに含まれたセルのうちで最適のスケジューリングセルを選択し、選択された最適のスケジューリングセルに関する情報を上りリンクシグナリングを介してＮｏｄｅ Ｂへ伝送し、最適のスケジューリングセル及び非最適のスケジューリングセルは、独立したスケジューリングを通してＵＥの上りリンクトラヒックを効率的に制御する。【選択図】図９
2005328525.tif 000002
【特許請求の範囲】
【請求項１】
向上した上りリンクパケットデータサービスを支援する移動通信システムにおいて、ソフトハンドオーバーによって複数のセルと通信する端末機が上りリンクパケットデータを送信する方法であって、
順方向経路損失情報、上りリンク負担状況情報、及び肯定応答信号（ＡＣＫ）の比率情報のうちの少なくとも１つに従って、前記端末機に対する前記上りリンクパケットデータサービスをスケジューリングする最適のスケジューリングセルを選択するステップと、
前記選択された最適のスケジューリングセルを示す情報を前記複数のセルに提供するステップと、
前記複数のセルのうちから、前記選択された最適のスケジューリングセル及び選択されない非最適のスケジューリングセルから上りリンクパケットデータの伝送のためのレートグラント情報を受信するステップと、
前記レートグラント情報に従って前記上りリンクパケットデータを前記複数のセルへ伝送するステップと
を含むことを特徴とする方法。
【請求項２】
前記上りリンクパケットデータサービスは、
広帯域符号分割多元接続（ＷＣＤＭＡ）システムの向上した上りリンク専用チャンネル（Ｅ−ＤＣＨ）を介してなされることを特徴とする請求項１記載の方法。
【請求項３】
前記順方向経路損失情報は、
前記複数のセルの各々が送信する共通制御パイロットチャンネル（ＣＰＩＣＨ）に対して測定された受信信号コード電力（ＲＳＣＰ）と前記ＣＰＩＣＨの送信電力との間の差異値として計算されることを特徴とする請求項１記載の方法。
【請求項４】
前記上りリンク負担状況情報は、
前記複数のセルのＲｏＴ値を示し、前記複数のセルから放送チャンネル（ＢＣＨ）又は専用チャンネル（ＤＣＨ）を介して前記端末機に受信されることを特徴とする請求項１記載の方法。
【請求項５】
前記ＡＣＫ比率情報は、
前記複数のセルの各々に対して、前記上りリンクパケットデータサービスに対して受信された肯定応答信号（ＡＣＫ）及び否定応答信号（ＮＡＣＫ）のうち、前記ＡＣＫの比率値として計算されることを特徴とする請求項１記載の方法。
【請求項６】
前記選択するステップは、
前記順方向経路損失情報、前記上りリンク負担状況情報、及び前記ＡＣＫ比率情報のうちの少なくとも２つにあらかじめ決定された加重値を適用して前記複数のセルに対する加重和を計算し、前記加重和に従って最高の優先順位を有するセルを前記最適のスケジューリングセルとして選択するステップを含むことを特徴とする請求項１記載の方法。
【請求項７】
前記選択するステップは、
前記順方向経路損失情報、前記上りリンク負担状況情報、及び前記ＡＣＫ比率情報を順次に適用して前記最適のスケジューリングセルを選択するステップを含むことを特徴とする請求項１記載の方法。
【請求項８】
前記通知するステップは、
前記選択された最適のスケジューリングセルを示すセルＩＤを専用物理制御チャンネル（ＤＰＣＣＨ）を介して前記複数のセルへ伝送するステップを含むことを特徴とする請求項１記載の方法。
【請求項９】
前記提供するステップは、
前記選択された最適のスケジューリングセルを示すセルＩＤを前記上りリンクパケットデータサービスに対する向上した専用物理制御チャンネル（Ｅ−ＤＰＣＣＨ）を介して前記複数のセルへ伝送するステップを含むことを特徴とする請求項１記載の方法。
【請求項１０】
前記提供するステップは、
前記選択された最適のスケジューリングセルを示すセルＩＤを前記上りリンクパケットデータサービスのための媒体アクセス制御プロトコルデータユニット（ＭＡＣ−ｅＰＤＵ）に載せて前記複数のセルへ伝送するステップを含むことを特徴とする請求項１記載の方法。
【請求項１１】
前記伝送するステップは、
前記非最適のスケジューリングセルから受信されたレートグラント情報を示すレートグラント値を結合して最終スケジューリンググラントを決定するステップと、
前記最終スケジューリンググラントがダウン（Ｄｏｗｎ）を示す場合、前記上りリンクパケットデータサービスのための上りリンク伝送率を１ステップ減少させるステップと、
前記最終スケジューリンググラントがダウンを示さないか、又は、前記非最適のスケジューリングセルから前記レートグラント値を受信しなかった場合、前記最適のスケジューリングセルから受信されたレートグラント情報に従って前記上りリンク伝送率を制御するステップと、
前記上りリンク伝送率を用いて前記上りリンクパケットデータを前記複数のセルへ伝送するステップと
を含むことを特徴とする請求項１記載の方法。
【請求項１２】
前記非最適のスケジューリングセルから受信されたレートグラント値のうちのいずれか１つでもダウンを示す場合、前記端末機は、前記最終スケジューリンググラントをダウンとして決定することを特徴とする請求項１１記載の方法。
【請求項１３】
前記非最適のスケジューリングセルから受信されたレートグラント値に該当するセルにあらかじめ設定された加重値を適用して計算されたスケジューリンググラントの加重和がダウンを示す場合、前記端末機は、前記最終スケジューリンググラントをダウンとして決定することを特徴とする請求項１１記載の方法。
【請求項１４】
前記伝送するステップは、
前記非最適のスケジューリングセルから受信されたレートグラント情報を示すレートグラント値を結合して最終スケジューリンググラントを決定するステップと、
前記最終スケジューリンググラントがダウン（Ｄｏｗｎ）を示す場合、前記上りリンクパケットデータサービスのための上りリンク伝送率を１ステップ減少させるステップと、
前記最終スケジューリンググラントが無視（Don't Care）を示すか、又は、前記非最適のスケジューリングセルから前記レートグラント値を受信しない場合、前記最適のスケジューリングセルから受信されたレートグラント情報に従って前記上りリンク伝送率を制御するステップと、
前記最終スケジューリンググラントがマージナル（Marginal）を示す場合、あらかじめ決定された基準値を使用して確率的に前記最適のスケジューリングセルから受信されたレートグラント情報に従って前記上りリンク伝送率を制御するか、又は、前記上りリンク伝送率を１ステップ減少させるステップと、
前記上りリンク伝送率を使用して前記上りリンクパケットデータを前記複数のセルへ伝送するステップと
を含むことを特徴とする請求項１記載の方法。
【請求項１５】
前記非最適のスケジューリングセルから受信されたレートグラント値のうちのいずれか１つでもダウンを示す場合、前記端末機は、前記最終スケジューリンググラントをダウンとして決定し、前記レートグラント値のうちのいずれか１つでもマージナルを示す場合、前記端末機は、前記最終スケジューリンググラントをマージナルとして決定し、前記レートグラント値のすべてが無視を示す場合、前記端末機は、前記最終スケジューリンググラントを無視として決定することを特徴とする請求項１４記載の方法。
【請求項１６】
前記非最適のスケジューリングセルから受信されたレートグラント値に該当するセルにあらかじめ決定された加重値を適用して計算されたスケジューリンググラントの加重和に従って、前記最終スケジューリンググラントをダウン、マージナル、又は、無視として決定することを特徴とする請求項１４記載の方法。
【請求項１７】
向上した上りリンクパケットデータサービスを支援する移動通信システムにおいて、ソフトハンドオーバーによって複数のセルと通信し、上りリンクパケットデータを送信する端末機装置であって、
順方向経路損失情報、上りリンク負担状況情報、及び肯定応答信号（ＡＣＫ）の比率情報のうちの少なくとも１つに従って、前記端末機の前記上りリンクパケットデータサービスをスケジューリングする最適のスケジューリングセルを選択する最適のスケジューリングセル選択器と、
前記選択された最適のスケジューリングセルを示す識別情報を前記複数のセルへ伝送する制御情報送信部と、
前記複数のセル中、前記選択された最適のスケジューリングセル及び選択されなかった非最適のスケジューリングセルから上りリンクパケットデータの伝送のためのレートグラント情報を受信し、前記レートグラント情報に従って前記上りリンクパケットデータを前記複数のセルへ伝送するデータ送信部と
を含むことを特徴とする装置。
【請求項１８】
前記上りリンクパケットデータサービスは、
広帯域符号分割多元接続（ＷＣＤＭＡ）システムの向上した上りリンク専用チャンネル（Ｅ−ＤＣＨ）を介してなされることを特徴とする請求項１７記載の装置。
【請求項１９】
前記順方向経路損失情報は、
前記複数のセルの各々が送信する共通制御パイロットチャンネル（ＣＰＩＣＨ）に対して測定された受信信号コード電力（ＲＳＣＰ）と前記ＣＰＩＣＨの送信電力との間の差異値として計算されることを特徴とする請求項１７記載の装置。
【請求項２０】
前記上りリンク負担状況情報は、
前記複数のセルのＲｏＴ（Rise-over Thermal）値を示し、前記複数のセルから放送チャンネル（ＢＣＨ）又は専用チャンネル（ＤＣＨ）を介して前記端末機へ伝送されることを特徴とする請求項１７記載の装置。
【請求項２１】
前記ＡＣＫ比率情報は、
前記複数のセルの各々に対して、前記上りリンクパケットデータサービスに対して受信された肯定応答信号（ＡＣＫ）及び否定応答信号（ＮＡＣＫ）のうち、前記ＡＣＫの比率値として計算されることを特徴とする請求項１７記載の装置。
【請求項２２】
前記最適のスケジューリングセル選択器は、
前記順方向経路損失情報、前記上りリンク負担状況情報、及び前記ＡＣＫ比率情報のうちの少なくとも２つにあらかじめ決定された加重値を適用して前記複数のセルに対する加重和を計算し、前記加重和に従って最高の優先順位を有するセルを前記最適のスケジューリングセルとして選択することを特徴とする請求項１７記載の装置。
【請求項２３】
前記最適のスケジューリングセル選択器は、
前記順方向経路損失情報、前記上りリンク負担状況情報、及び前記ＡＣＫ比率情報を順次に適用して前記最適のスケジューリングセルを選択することを特徴とする請求項１７記載の装置。
【請求項２４】
前記制御情報送信部は、
前記選択された最適のスケジューリングセルを示すセルＩＤを専用物理制御チャンネル（ＤＰＣＣＨ）を介して前記複数のセルへ伝送することを特徴とする請求項１７記載の装置。
【請求項２５】
前記制御情報送信部は、
前記選択された最適のスケジューリングセルを示すセルＩＤを前記上りリンクパケットデータサービスに対する向上した専用物理制御チャンネル（Ｅ−ＤＰＣＣＨ）を介して前記複数のセルへ伝送することを特徴とする請求項１７記載の装置。
【請求項２６】
前記制御情報送信部は、
前記選択された最適のスケジューリングセルを示すセルＩＤを前記上りリンクパケットデータサービスのための媒体アクセス制御プロトコルデータユニット（ＭＡＣ−ｅＰＤＵ）に載せて前記複数のセルへ伝送することを特徴とする請求項１７記載の装置。
【請求項２７】
前記データ送信部は、
前記非最適のスケジューリングセルから受信されたレートグラント情報を示すレートグラント値を結合して最終スケジューリンググラントを決定し、
前記最終スケジューリンググラントがダウン（Down）を示す場合、前記上りリンクパケットデータサービスのための上りリンク伝送率を１ステップ減少させ、
前記最終スケジューリンググラントがダウンを示さないか、又は、前記非最適のスケジューリングセルから前記レートグラント値を受信しなかった場合、前記最適のスケジューリングセルから受信されたレートグラント情報に従って前記上りリンク伝送率を制御し、
前記上りリンク伝送率を用いて前記上りリンクパケットデータを前記複数のセルへ伝送することを特徴とする請求項１７記載の装置。
【請求項２８】
前記データ送信部は、
前記非最適のスケジューリングセルから受信されたレートグラント値のうちのいずれか１つでもダウンを示す場合、前記端末機は、前記最終スケジューリンググラントをダウンとして決定することを特徴とする請求項２７記載の装置。
【請求項２９】
前記非最適のスケジューリングセルから受信されたレートグラント値に該当するセルにあらかじめ設定された加重値を適用して計算されたスケジューリンググラントの加重和がダウンを示す場合、前記端末機は、前記最終スケジューリンググラントをダウンとして決定することを特徴とする請求項２７記載の装置。
【請求項３０】
前記データ送信部は、
前記非最適のスケジューリングセルから受信されたレートグラント情報を示すレートグラント値を結合して最終スケジューリンググラントを決定し、
前記最終スケジューリンググラントがダウン（Down）を示す場合、前記上りリンクパケットデータサービスのための上りリンク伝送率を１ステップ減少させ、
前記最終スケジューリンググラントが無視（Don't Care）を示すか、又は、前記非最適のスケジューリングセルから前記レートグラント値を受信しない場合、前記最適のスケジューリングセルから受信されたレートグラント情報に従って前記上りリンク伝送率を制御し、
前記最終スケジューリンググラントがマージナル（Marginal）を示す場合、あらかじめ決定された基準値を使用して確率的に前記最適のスケジューリングセルから受信されたレートグラント情報に従って前記上りリンク伝送率を制御するか、又は、前記上りリンク伝送率を１ステップ減少させ、
前記上りリンク伝送率を使用して前記上りリンクパケットデータを前記複数のセルへ伝送することを特徴とする請求項１７記載の装置。
【請求項３１】
前記データ送信部は、
前記非最適のスケジューリングセルから受信されたレートグラント値のうちのいずれか１つでもダウンを示す場合、前記端末機は、前記最終スケジューリンググラントをダウンとして決定し、前記レートグラント値のうちのいずれか１つでもマージナルを示す場合、前記端末機は、前記最終スケジューリンググラントをマージナルとして決定し、前記レートグラント値のすべてが無視を示す場合、前記端末機は、前記最終スケジューリンググラントを無視として決定することを特徴とする請求項３０記載の装置。
【請求項３２】
前記データ送信部は、
前記非最適のスケジューリングセルから受信されたレートグラント値に該当するセルにあらかじめ決定された加重値を適用して計算されたスケジューリンググラントの加重和に従って、前記最終スケジューリンググラントをダウン、マージナル、又は、無視として決定することを特徴とする請求項３０記載の装置。
【請求項３３】
向上した上りリンクパケットデータサービスを支援する移動通信システムにおいて、ソフトハンドオーバーを遂行する端末機と通信する基地局が前記端末機から上りリンクパケットデータを受信する方法であって、
前記端末機が通信する複数のルのうち、選択された最適のスケジューリングセルを示す情報を前記端末機から受信するステップと、ここで、前記最適のスケジューリングセルは、順方向経路損失情報、上りリンク負担状況情報、及び肯定応答信号（ＡＣＫ）比率情報のうちの少なくとも１つに従って前記端末機によって選択され、
前記最適のスケジューリングセル情報に従って、前記選択された最適のスケジューリングセル又は選択されなかった非最適のスケジューリングセルを介して上りリンクパケットデータの伝送のために割り当てられた伝送率を示すレートグラント情報を前記端末機へ伝送するステップと、
前記レートグラント情報に従って、前記端末機から前記上りリンクパケットデータを受信するステップと
を含むことを特徴とする方法。
【請求項３４】
前記上りリンクパケットデータサービスは、
広帯域符号分割多元接続（ＷＣＤＭＡ）システムの向上した上りリンク専用チャンネル（Ｅ−ＤＣＨ）を介してなされることを特徴とする請求項３３記載の方法。
【請求項３５】
前記順方向経路損失情報は、
前記複数のセルの各々が送信する共通制御パイロットチャンネル（ＣＰＩＣＨ）に対して測定された受信信号コード電力（ＲＳＣＰ）と前記ＣＰＩＣＨの送信電力との間の差異値として計算されることを特徴とする請求項３３記載の方法。
【請求項３６】
前記上りリンク負担状況情報は、
前記複数のセルのＲｏＴ（Rise-over Thermal）値を示し、前記複数のセルから放送チャンネル（ＢＣＨ）又は専用チャンネル（ＤＣＨ）を介して前記端末機へ伝送されることを特徴とする請求項３３記載の方法。
【請求項３７】
前記ＡＣＫ比率情報は、
前記複数のセルの各々に対して、前記上りリンクパケットデータサービスに対して受信された肯定応答信号（ＡＣＫ）及び否定応答信号（ＮＡＣＫ）のうち、前記ＡＣＫの比率値として計算されることを特徴とする請求項３３記載の方法。
【請求項３８】
前記最適のスケジューリングセル情報を受信するステップは、
前記選択された最適のスケジューリングセルを示すセルＩＤを専用物理制御チャンネル（ＤＰＣＣＨ）を介して前記端末機から受信するステップを含むことを特徴とする請求項３３記載の方法。
【請求項３９】
前記最適のスケジューリングセル情報を受信するステップは、
前記選択された最適のスケジューリングセルを示すセルＩＤを前記上りリンクパケットデータサービスに対する向上した専用物理制御チャンネル（Ｅ−ＤＰＣＣＨ）を介して前記端末機から受信するステップを含むことを特徴とする請求項３３記載の方法。
【請求項４０】
前記最適のスケジューリングセル情報を受信するステップは、
前記選択された最適のスケジューリングセルを示すセルＩＤを前記上りリンクパケットデータサービスのための媒体アクセス制御プロトコルデータユニット（ＭＡＣ−ｅＰＤＵ）を介して前記端末機から受信するステップを含むことを特徴とする請求項３３記載の方法。
【請求項４１】
前記伝送するステップは、
前記最適のスケジューリングセルを通して前記割り当てられた伝送率を示すレートグラント情報を送信するステップを含むことを特徴とする請求項３３記載の方法。
【請求項４２】
前記伝送するステップは、
前記割り当てられた伝送率に従って、前記非最適のスケジューリングセルを通してダウン（Down）又は無視（Don't Care）を示すレートグラント情報を送信するステップを含むことを特徴とする請求項４１記載の方法。
【請求項４３】
前記伝送するステップは、
前記割り当てられた伝送率に従って、前記非最適のスケジューリングセルを通してダウン（Down）、無視（Don't Care）、又は、マージナル（Marginal）を示すレートグラント情報を送信するステップを含むことを特徴とする請求項４１記載の方法。
【発明の詳細な説明】
【技術分野】
【０００１】
本発明は、広帯域符号分割多元接続（Wideband Code Division Multiple Access；以下、ＷＣＤＭＡと称する。）通信に関し、特に、ソフトハンドオーバー領域に位置した端末機が上りリンクパケット伝送のための向上した上りリンク専用チャンネルをサービスする場合に、上記向上した上りリンク専用チャンネルを効率的にスケジューリングするための方法及び装置に関する。
【背景技術】
【０００２】
ヨーロッパ型移動通信システムである移動体通信用グローバルシステム（Global System for Mobile Communications；ＧＳＭ）に基づき、広帯域符号分割多元接続（Wideband Code Division Multiple Access；以下、ＷＣＤＭＡと称する）を使用する第３世代移動通信システムであるユニバーサル移動体通信サービス（Universal Mobile Telecommunication Service；ＵＭＴＳ）システムは、移動電話又はコンピュータユーザが世界中のどこにいるかに無関係に、パケットに基づくテキスト、デジタル化された音声又はビデオ、及びマルチメディアデータを２Ｍｂｐｓ以上の高速で伝送することができる一貫したサービスを提供する。ＵＭＴＳは、インタネットプロトコル（Internet Protocol；ＩＰ）のようなパケットプロトコルを使用する“パケット交換方式の接続”と呼ばれる仮想接続の概念を使用し、ネットワーク内の他のどの終端でも常に接続することができる。
【０００３】
図１は、ＵＭＴＳシステムの無線接続ネットワーク（UMTS Terrestrial Radio Access Network；以下、ＵＴＲＡＮと称する）の構成を示す図である。
図１を参照すると、ＵＴＲＡＮ１２は、無線網制御器（Radio Network Controller；以下、ＲＮＣと称する）１６ａ及び１６ｂとＮｏｄｅ Ｂ１８ａ、１８ｂ、１８ｃ、及び１８ｄとを含み、端末機（User Equipment；以下、ＵＥと称する）２０を基幹網（Core Network）１０に接続する。Ｎｏｄｅ Ｂ１８ａ、１８ｂ、１８ｃ、及び１８ｄの下位には、複数のセルが存在することができ、各ＲＮＣ１６ａ及び１６ｂは、該当下位のＮｏｄｅ Ｂ１８ａ、１８ｂ、１８ｃ、及び１８ｄを制御する。例えば、図１において、ＲＮＣ１６ａは、Ｎｏｄｅ Ｂ１８ａ及び１８ｂを制御し、ＲＮＣ１６ｂは、Ｎｏｄｅ Ｂ１８ｃ及び１８ｄを制御する。Ｎｏｄｅ Ｂ１８ａ、１８ｂ、１８ｃ、及び１８ｄのそれぞれは、該当する下位のセルを制御する。１つのＲＮＣ及び上記ＲＮＣによって制御される該当Ｎｏｄｅ Ｂ及びセルは、無線網サブシステム（Radio Network Subsystem；以下、ＲＮＳと称する）１４ａ及び１４ｂを構成する。
【０００４】
ＲＮＣは、自分が制御するＮｏｄｅ Ｂの無線資源を割り当てるか、又は、管理し、Ｎｏｄｅ Ｂは、無線資源を実際に提供する。Ｎｏｄｅ Ｂによって提供される無線資源は、自身が管理するセルの無線資源を意味する。ＵＥは、特定のＮｏｄｅ Ｂの特定のセルが提供する無線資源を用いて無線チャンネルを構成して通信を遂行することができる。ＵＥの立場では、Ｎｏｄｅ Ｂとセルとの間の区別は無意味であり、セルで構成される物理階層のみを認識するため、以下、“Ｎｏｄｅ Ｂ”及び“セル”は、同一の意味で使用される。
【０００５】
ＵＥとＮｏｄｅ Ｂ との間のインターフェースは、Ｕｕインターフェースと称され、その詳細な階層的な構造を図２に示す。Ｕｕインターフェースは、ＵＥとＮｏｄｅ Ｂとの間で制御信号を交換するために使用される制御プレーン（Control Plane）と実際のデータを伝送するために使用されるユーザプレーン（User Plane）とに区分される。
【０００６】
図２を参照すると、制御プレーン（Ｃ-plane）シグナリング３０は、ＲＲＣ（Radio Resource Control）階層３４、ＲＬＣ（Radio Link Control）階層４０、ＭＡＣ（Media Access Control）階層４２、及び物理（Physical；以下、ＰＨＹと称する）階層４４を通して処理され、ユーザプレーン（U-plane）情報３２は、ＰＤＣＰ（Packet Data Control Protocol）階層３６、ＢＭＣ（Broadcast／Multicast Control）階層３８、ＲＬＣ階層４０、ＭＡＣ階層４２、ＰＨＹ階層４４を通して処理される。ここに示した階層中、ＰＨＹ階層４４は、各セルに位置し、ＭＡＣ階層４２からＲＲＣ階層３４まではＲＮＣに位置する。
ＰＨＹ階層４４は、無線伝送（Radio Transfer）技術を用いた情報伝送サービスを提供し、ＯＳＩ（Opening Systems Interconnection）モデルの第１の階層に該当する。ＰＨＹ階層４４とＭＡＣ階層４２との間は、伝送チャンネル（Transport Channels）によって接続され、伝送チャンネルは、特定のデータがＰＨＹ階層４４で処理される方式に従って定義される。
【０００７】
ＭＡＣ階層４２は、論理チャンネルを介してＲＬＣ階層４０に接続される。ＭＡＣ階層４２は、論理チャンネルを介してＲＬＣ階層４０から受信されたデータを適切な伝送チャンネルを介してＰＨＹ階層４４へ伝送し、ＰＨＹ階層４４から伝送チャンネルを介して受信されたデータを適切な論理チャンネルを介してＲＬＣ階層４０へ伝送する。また、ＭＡＣ階層４２は、論理チャンネル又は伝送チャンネルを介して受信されたデータに付加情報を挿入するか、又は、データに挿入された付加情報を解析し、上記解析された付加情報に従って適切な動作を遂行する。また、ＭＡＣ階層４２は、ランダムアクセス動作を制御する。このようなＭＡＣ階層４２で、ユーザプレーン３２に関連した部分は、ＭＡＣ−ｄと称され、制御プレーン３０に関連した部分は、ＭＡＣ−ｃと称される。
【０００８】
ＲＬＣ階層４０は、論理チャンネルの設定及び解除を担当する。ＲＬＣ階層４０は、ＡＭ（Acknowledged Mode）、ＵＭ（Unacknowledged Mode）、及びＴＭ（Transparent Mode）という３種類の動作モードのうちの１つで動作することができ、動作モードごとに相互に異なる機能を提供する。一般に、ＲＬＣ階層４０は、上位階層から提供されたサービスデータユニット（Service Data Unit；以下、ＳＤＵと称する）を適切な大きさに分割するか、又は、組み立てる機能及び誤り訂正機能を遂行する。
【０００９】
ＰＤＣＰ階層３６は、ユーザプレーン３２でＲＬＣ階層４０の上位階層に位置し、ＩＰパケットの形態で伝送されたデータのヘッダーを圧縮して復元する機能及び特定のＵＥに移動性サービスを提供するＲＮＣが変更される状況でデータの無損失伝送機能を有する。
ＰＨＹ階層４４と上位階層との間を接続する伝送チャンネルの特性は、畳込みチャンネル符号化（convolutional channel encoding）、インターリービング（Interleaving）、及びサービス固有伝送率整合（service-specific rate matching）のような物理階層処理過程を規定している伝送形式（Transport Format；ＴＦ）によって決定される。
【００１０】
特に、ＵＭＴＳシステムでは、ＵＥからＮｏｄｅ Ｂへの上りリンク（Uplink；ＵＬ）通信において、パケット伝送の性能を向上させることができるように、向上した上りリンク専用チャンネル（Enhanced Uplink Dedicated Channel；以下、ＥＵＤＣＨ又はＥ−ＤＣＨと称する）を使用する。安定した高速のデータ伝送を支援するために、Ｅ−ＤＣＨは、適応変調及び符号化（Adaptive Modulation and Coding；ＡＭＣ）、複合自動再伝送要求（Hybrid Automatic Retransmission Request；ＨＡＲＱ）、及びＮｏｄｅ Ｂ制御スケジューリングの技術を支援する。Ｅ−ＤＣＨの処理は、ＭＡＣ−ｄ階層の下位階層に位置するＭＡＣ−ｅ階層によってなされ、上記ＭＡＣ−ｅ階層で出力されるＥ−ＤＣＨデータは、ＭＡＣ−ｅＰＤＵ（MAC-enhanced Protocol Data Unit）と称される。
【００１１】
図３は、無線リンクでＥ−ＤＣＨを介して上りリンクパケットデータを伝送する従来の方法を示す概念図である。
図３を参照すると、参照番号１００は、Ｅ−ＤＣＨを支援するＮｏｄｅ Ｂを示し、参照番号１０１、１０２、１０３、及び１０４は、Ｅ−ＤＣＨを伝送するＵＥを示す。Ｎｏｄｅ Ｂ１００は、Ｅ−ＤＣＨを使用するＵＥ１０１乃至１０４の状況を把握して各ＵＥのデータ伝送率をスケジューリングする。システム全体の性能を高めるために、スケジューリングは、Ｎｏｄｅ Ｂの測定ＲｏＴ（Rise-over Thermal）値が目標ＲｏＴ値を超えないようにしながら、Ｎｏｄｅ Ｂから遠く離れたＵＥには、低いデータ伝送率を割り当て、Ｎｏｄｅ Ｂから近く位置したＵＥには、高いデータ伝送率を割り当てる方式にて遂行される。
【００１２】
図４は、Ｅ−ＤＣＨを介してメッセージを送受信する従来の手順を示すシグナリング図である。
図４を参照すると、ステップ２０２で、Ｎｏｄｅ Ｂ及びＵＥは、それらの間にＥ−ＤＣＨを設定する。Ｅ−ＤＣＨ設定ステップ２０２は、専用伝送チャンネル（dedicated transport channel）を介してメッセージを伝送するステップを含む。Ｅ−ＤＣＨの設定後に、ステップ２０４で、ＵＥは、Ｎｏｄｅ Ｂにスケジューリング情報を提供する。上記スケジューリング情報は、上りリンクチャンネル情報を示すＵＥの送信電力情報、ＵＥが送信することができる余分の電力に関する情報、及びＵＥのバッファに貯蔵されている送信データの量を含むことができる。
【００１３】
通信中である複数のＵＥからスケジューリング情報を受信したＮｏｄｅ Ｂは、ステップ２０６で、各ＵＥのデータ伝送率をスケジューリングするために、上記複数のＵＥから受信されたスケジューリング情報をモニタリングする。具体的に、ステップ２０８で、Ｎｏｄｅ Ｂは、ＵＥに上りリンクパケットの伝送を許容することに決定し、ＵＥにスケジューリング割当て（Scheduling Assignment）情報を伝送する。上記スケジューリング割当て情報は、許容されたデータ伝送率及び許容された伝送タイミングを含む。
【００１４】
ＵＥは、ステップ２１０で、上記スケジューリング割当て情報を用いて上りリンクに伝送されるＥ−ＤＣＨの伝送形式（Transport format；ＴＦ）を決定し、ステップ２１２で、Ｅ−ＤＣＨを介して上りリンク（ＵＬ）パケットデータを伝送する同時に、ステップ２１４で、上記ＴＦ情報をＮｏｄｅ Ｂへ伝送する。ステップ２１６で、Ｎｏｄｅ Ｂは、上記ＴＦ情報及び上記パケットデータにエラーがあるか否かを判断する。ステップ２１８で、Ｎｏｄｅ Ｂは、上記判断の結果、いずれか１つでもエラーが発生した場合、ＡＣＫ／ＮＡＣＫチャンネルを介してＵＥへ否定応答（Non-Acknowledge；ＮＡＣＫ）を伝送する。しかしながら、上記ＴＦ情報及び上記パケットデータのすべてにエラーがない場合には、肯定応答（Acknowledge；ＡＣＫ）をＡＣＫ／ＮＡＣＫチャンネルを介してＵＥへ伝送する。
【００１５】
ＡＣＫが伝送される場合、該当パケットデータの伝送が完了され、従って、ＵＥは、新たなデータをＥ−ＤＣＨを介して伝送する。しかしながら、ＮＡＣＫが伝送される場合、ＵＥは、同一のパケットデータをＥ−ＤＣＨを介して再伝送する。
上述した上りリンクパケット伝送のためのスケジューリング方法は、幾つかの方法に区分することができる。代表的なスケジューリング方法は、伝送率スケジューリング（Rate Scheduling）方法及び時間−伝送率スケジューリング（Time and Rate Scheduling）方法を含む。伝送率スケジューリング方法において、Ｎｏｄｅ Ｂは、各ＵＥのデータ伝送率を段階的に制御し、時間−伝送率スケジューリング方法において、Ｎｏｄｅ Ｂは、ＵＥの上りリンクパケット伝送の時間及び伝送率を同時に制御する。
【００１６】
図５は、ＵＥとＮｏｄｅ Ｂとの間で遂行される従来の伝送率スケジューリング方法を示す図である。ＵＥ５０２は、伝送率要求（Rate Request）情報５０５及びＥ−ＤＣＨデータ５０６を伝送しているし、Ｎｏｄｅ Ｂ５０１は、スケジューリングを通してＵＥ５０２に割り当てられた伝送率に関する情報を示す伝送率グラント（Rate Grant）情報５０３を伝送している。
【００１７】
すなわち、ＵＥ５０２は、上りリンク伝送データがバッファにどのくらいあるかを判断し、また、ＵＥ５０２が送信することができる余分の電力を確認して、次に送信しようとする伝送率を設定するために、上記判断の結果に従って、伝送率要求情報５０５を通じて伝送率の増加又は減少の要求を伝送する。伝送率要求情報５０５を受信するＮｏｄｅ Ｂ５０１は、ＵＥ５０２から伝送された伝送率要求情報を総合し、Ｎｏｄｅ Ｂ ５０１によって制御される他のＵＥは、その総合の結果に従って、ＵＥ５０２の伝送率を増加させるか、減少させるか、又は、保持させるかを決定し、その決定の結果を伝送率グラント情報５０３を用いてＵＥ５０２に通知する。
【００１８】
図５の具体的な例を参照すると、ステップ５０８で、ＵＥ５０２は、伝送率の増加のために、伝送率要求情報５０７を用いて伝送率増加の要求を伝送する。伝送率要求情報５０７を受信するＮｏｄｅ Ｂ５０１は、ステップ５１０で、スケジューリングを通して伝送率グラント情報５０９を用いてＵＥ５０２へ伝送率増加情報を伝送する。伝送率グラント情報５０９によって伝送率増加許容を受信するＵＥ５０２は、以前の伝送率１０（５１１）に比べて１つのステップ増加された伝送率１１（５１２）で上りリンクパケットを伝送することができる。
【００１９】
上述した伝送率スケジューリングにおいて、上記伝送率情報は、Ｎｏｄｅ Ｂ及びＵＥに以前に貯蔵された同一のテーブルのマルチレベルの伝送率で表現することができる。他の場合、上記伝送率情報は、伝送ブロックサイズ（Transport Block Size；以下、ＴＢＳと称する）を示す伝送ブロック組合せ（Transport Block combination；以下、ＴＢＣと称する）で表現することができる。
【００２０】
図６は、上りリンク及び順方向制御情報を伝送し、上記制御情報によってＵＥが上りリンクパケットを伝送する従来の時間−伝送率スケジューリング方法を示す図である。
図６を参照すると、ＵＥ６０３は、ＵＥの状態情報６０４をＮｏｄｅ Ｂ６０１に周期的又はイベントトリガー（event-triggered）方式又は周期的な伝送方式に基づくイベントトリガー方式のような所定の方式にて伝送する。ＵＥの状態情報６０４を受信するＮｏｄｅ Ｂ６０１は、次のフレーム区間の間に伝送を許容するＵＥとしてＵＥ６０３を選択し、上記選択されたＵＥ６０３の許容された伝送率を決定して、スケジューリング割当て（Scheduling assignment）情報６０２を使用してＵＥ６０３へ伝送する。そうすると、ＵＥ６０３は、スケジューリング割当て情報６０２が指す伝送率を用いて決定された時間区間の間にＥ−ＤＣＨデータ６０５を上りリンクに伝送する。
【００２１】
例えば、最初に、ＵＥ６０３は、Ｅ−ＤＣＨデータ６０５の伝送のために、伝送率１（６１０）を使用する。ステップ６２１で、ＵＥ６０３がＵＥの状態情報６１１をＮｏｄｅ Ｂ６０１へ伝送すると、Ｎｏｄｅ Ｂ６０１は、スケジューリングを遂行してＵＥ６０３に次のフレーム時間区間の間にＥ−ＤＣＨ伝送を許容するか否かを決定する。伝送を許容する場合は、ＵＥ６０３に許容する伝送率及び伝送が許容された時間に関する情報も決定する。ステップ６４１で、Ｎｏｄｅ Ｂ６０１は、スケジューリング割当て情報６３１を用いて、ＵＥ６０３に割当て時間情報及び割当て伝送率情報を伝送する。ＵＥ６０３は、スケジューリング割当て情報６３１に基づく時間区間の間にＥ−ＤＣＨデータを割り当てられた伝送率１０（６５１）に従って伝送する。スケジューリング割当て情報６３１が伝送率１０で伝送を許容する情報を含むので、ＵＥ６０３は、伝送率１０（６５１）でＥ−ＤＣＨデータ６０５を伝送する。一方、参照番号６３０のように、Ｎｏｄｅ Ｂ６０１は、ＵＥ６０３に対してスケジューリング割当て情報を設定しない場合に、ＵＥ６０３は、最小伝送率（minimum set）である伝送率 １（６５０）を用いてＥ−ＤＣＨデータ６０５を伝送する。この後、ステップ６４２で、Ｎｏｄｅ Ｂ６０１が伝送率１５を示すスケジューリング割当て情報６３２を伝送すると、ＵＥ６０３は、スケジューリング割当て情報６３２に従って伝送率１５（６５２）でＥ−ＤＣＨデータ６０５を伝送することができる。
【００２２】
これまでは、従来のスケジューリング方式について説明した。Ｅ−ＤＣＨが上りリンク伝送チャンネルのパケット伝送のために向上したチャンネルであるため、専用チャンネルの基本的性質に従う。そのうちの１つがソフトハンドオーバーを支援するが、これは、ソフトハンドオーバー領域にあるＵＥは、アクティブセット（Active set）に属するすべてのＮｏｄｅ Ｂから順方向情報を受信することができる。従って、ソフトハンドオーバー領域に位置するＵＥは、Ｅ−ＤＣＨを伝送するためには、アクティブセットに属するＮｏｄｅ Ｂのすべてからスケジューリング割当て情報を受信する。
この場合、上記ソフトハンドオーバー領域に位置したＵＥをスケジューリングするにおいて、ＵＥのアクティブセットに属するすべてのＮｏｄｅ Ｂがスケジューリング割当て情報をＵＥに伝送することによって、シグナリングオーバーヘッドが発生し、すべてのＮｏｄｅ Ｂからシグナリング割当て情報を受信するＵＥは、Ｅ−ＤＣＨを伝送するためのＴＦを決定するのに難しさがあった。
【発明の開示】
【発明が解決しようとする課題】
【００２３】
上記背景に鑑みて、本発明の目的は、ＷＣＤＭＡ通信システムにおいて、ソフトハンドオーバー領域に位置したＵＥの向上した上りリンク専用チャンネルをスケジューリングする方法及び装置を提供することにある。
本発明の他の目的は、ソフトハンドオーバー領域に位置したＵＥに対する最適（serving）のスケジューリングＮｏｄｅ Ｂを選択する方法及び装置を提供することにある。
本発明のまた他の目的は、ソフトハンドオーバー領域に位置したＵＥにおいて、選択された最適のスケジューリングＮｏｄｅ Ｂに関する情報を、ＵＥとＮｏｄｅ Ｂとの間で共有することができるように、シグナリングを遂行する方法及び装置を提供することにある。
【課題を解決するための手段】
【００２４】
このような目的を達成するために、本発明の１つの特徴によれば、向上した上りリンクパケットデータサービスを支援する移動通信システムにおいて、ソフトハンドオーバーによって複数のセルと通信する端末機が上りリンクパケットデータを送信する方法であって、順方向経路損失情報、上りリンク負担状況情報、及び肯定応答信号（ＡＣＫ）の比率情報のうちの少なくとも１つに従って、上記端末機に対する上記上りリンクパケットデータサービスをスケジューリングする最適のスケジューリングセルを選択するステップと、上記選択された最適のスケジューリングセルを示す情報を上記複数のセルに提供するステップと、上記複数のセルのうちから、上記選択された最適のスケジューリングセル及び選択されない非最適のスケジューリングセルから上りリンクパケットデータの伝送のためのレートグラント情報を受信するステップと、上記レートグラント情報に従って上記上りリンクパケットデータを上記複数のセルへ伝送するステップとを含むことを特徴とする。
【００２５】
本発明の他の特徴によれば、向上した上りリンクパケットデータサービスを支援する移動通信システムにおいて、ソフトハンドオーバーによって複数のセルと通信し、上りリンクパケットデータを送信する端末機装置であって、順方向経路損失情報、上りリンク負担状況情報、及び肯定応答信号（ＡＣＫ）の比率情報のうちの少なくとも１つに従って、上記端末機の上記上りリンクパケットデータサービスをスケジューリングする最適のスケジューリングセルを選択する最適のスケジューリングセル選択器と、上記選択された最適のスケジューリングセルを示す識別情報を上記複数のセルへ伝送する制御情報送信部と、上記複数のセル中、上記選択された最適のスケジューリングセル及び選択されなかった非最適のスケジューリングセルから上りリンクパケットデータの伝送のためのレートグラント情報を受信し、上記レートグラント情報に従って上記上りリンクパケットデータを上記複数のセルへ伝送するデータ送信部とを含むことを特徴とする。
【００２６】
本発明のまた他の特徴によれば、向上した上りリンクパケットデータサービスを支援する移動通信システムにおいて、ソフトハンドオーバーを遂行する端末機と通信する基地局が上記端末機から上りリンクパケットデータを受信する方法であって、  上記端末機が通信する複数のルのうち、選択された最適のスケジューリングセルを示す情報を上記端末機から受信するステップと、ここで、上記最適のスケジューリングセルは、順方向経路損失情報、上りリンク負担状況情報、及び肯定応答信号（ＡＣＫ）比率情報のうちの少なくとも１つに従って上記端末機によって選択され、上記最適のスケジューリングセル情報に従って、上記選択された最適のスケジューリングセル又は選択されなかった非最適のスケジューリングセルを介して上りリンクパケットデータの伝送のために割り当てられた伝送率を示すレートグラント情報を上記端末機へ伝送するステップと、上記レートグラント情報に従って、上記端末機から上記上りリンクパケットデータを受信するステップとを含むことを特徴とする。
【発明の効果】
【００２７】
本発明の実施形態は、Ｅ−ＤＣＨを使用する非同期ＷＣＤＭＡ通信システムにおいて、上りリンクパケット伝送のための伝送率スケジューリングを遂行するに際して、ソフトハンドオーバー領域に位置したＵＥのスケジューリングを効率的に遂行するための装置及び方法を提供し、ＵＥのアクティブセットに属するＮｏｄｅ Ｂのうち、損失遅延情報、上りリンク（ＵＬ）負担状況情報、ＨＡＲＱ情報を用いて、最適のスケジューリングＮｏｄｅ Ｂを選択する装置及び方法を提供する。さらに、ＵＥが上記選択された最適のスケジューリングＮｏｄｅ Ｂに関する情報をＵＥのアクティブセットに含まれたＮｏｄｅ Ｂへ伝送する装置及び方法を提供する。
【発明を実施するための最良の形態】
【００２８】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００２９】
本発明は、Ｅ−ＤＣＨを支援するシステムにおいて、ＵＥがソフトハンドオーバー領域に位置するとき発生する順方向シグナリング情報の増加と、スケジューリング割当て情報を受信したＵＥがＥ−ＤＣＨのための伝送形式の決定が不明確になる短所を補完する。また、本発明は、効率的なスケジューリングのために最適のスケジューリングセル／Ｎｏｄｅ Ｂを選択し、これに伴う情報をシグナリングする。
本発明の実施形態は、ソフトハンドオーバー領域に位置したＵＥのＥ−ＤＣＨスケジューリングの向上を目的とする。
【００３０】
図７を参照して、従来のソフトハンドオーバー動作について説明する。
図７において、Ｎｏｄｅ Ｂ１（７０１）及びＮｏｄｅ Ｂ２（７０２）は、Ｅ−ＤＣＨデータを受信することができ、ＵＥ３（７０３、７０６、７１０）を通したＵＥ１は、Ｅ−ＤＣＨデータを伝送することができる。ＵＥ１（７０３）及びＵＥ２（７０６）は、ソフトハンドオーバー領域に属していないし、それぞれＮｏｄｅ Ｂ１（７０１）及びＮｏｄｅ Ｂ２（７０２）によってのみＥ−ＤＣＨスケジューリングが行われる。従って、ＵＥ１（７０３）は、Ｎｏｄｅ Ｂ１（７０１）からスケジューリング割当て情報７０４を受信し、スケジューリング割当て情報７０４を用いてＥ−ＤＣＨデータ７０５を伝送することができる。一方、ＵＥ２（７０６）は、Ｎｏｄｅ Ｂ２（７０２）からスケジューリング割当て情報７０７を受信してＥ−ＤＣＨデータ７０８を伝送することができる。
【００３１】
しかしながら、ソフトハンドオーバー領域に属しているＵＥ３（７１０）は、アクティブセット（Active Set）の構成要素としてＮｏｄｅ Ｂ１（７０１）及びＮｏｄｅ Ｂ２（７０２）をすべて有する。従って、ＵＥ３（７１０）は、Ｎｏｄｅ Ｂ１（７０１）及びＮｏｄｅ Ｂ２（７０２）から伝送された信号を受信することができ、Ｎｏｄｅ Ｂ１（７０１）及びＮｏｄｅ Ｂ２（７０２）もＵＥ３（７１０）が伝送する信号をすべて受信することができる。そこで、Ｎｏｄｅ Ｂ１（７０１）及びＮｏｄｅ Ｂ２（７０２）は、ＵＥ３（７１０）のＥ−ＤＣＨデータ伝送のために、それぞれＵＥ３（７１０）に対するＥ−ＤＣＨスケジューリングを遂行し、スケジューリング割当て情報７１１及び７１３をＵＥ３（７１０）へ伝送する。ＵＥ３（７１０）がＮｏｄｅ Ｂ１（７０１）及びＮｏｄｅ Ｂ２（７０２）から別途のスケジューリング割当て情報を受信するため、Ｅ−ＤＣＨデータ７１２及び７１４の伝送形式を決定することは難しい。その結果、ソフトハンドオーバー領域に位置したＵＥ３（７１０）は、ソフトハンドオーバー領域に位置したＵＥ１（７０３）及びＵＥ２（７０６）とは異なる方法にてＥ−ＤＣＨ伝送を遂行する。
【００３２】
本発明の実施形態において、ソフトハンドオーバー領域に位置したＵＥがアクティブセットに属しているＮｏｄｅ Ｂのうち、スケジューリングする間に、システム性能及び安定性を高めることができるＮｏｄｅ Ｂを“最適のスケジューリングＮｏｄｅ Ｂ”として選択し、上記選択された最適のスケジューリングＮｏｄｅ Ｂに該当情報を提供し、上記最適のスケジューリングＮｏｄｅ Ｂ及びそうでないＮｏｄｅ Ｂ（すなわち、非最適（Non-serving）スケジューリングＮｏｄｅ Ｂ）は、相互に異なるＥ−ＤＣＨスケジューリング方法を使用する。上記最適のスケジューリングＮｏｄｅ Ｂを選択する一番簡単な方法は、ＵＥが伝送するＥ−ＤＣＨに対して受信雑音の側面で一番大きい影響を受けるＮｏｄｅ Ｂを最適のスケジューリングＮｏｄｅ Ｂとして選択することである。
以下、上記最適のスケジューリングＮｏｄｅ Ｂ及び上記非最適のスケジューリングＮｏｄｅ Ｂが使用する相互に異なるスケジューリング方法について説明する。
【００３３】
（ａ）伝送率スケジューリングのみを使用するシステムの場合
ソフトハンドオーバー領域に位置したＵＥは、最適のスケジューリングＮｏｄｅ Ｂを選択し、上記選択された最適のスケジューリングＮｏｄｅ Ｂのみが上記ＵＥに対するＥ−ＤＣＨスケジューリングを遂行する。すなわち、上記選択された最適のスケジューリングＮｏｄｅ Ｂのみがレートグラント情報をＵＥに送信する。ＵＥのアクティブセットに含まれており、最適のスケジューリングＮｏｄｅ ＢではないＮｏｄｅ Ｂは、上記ＵＥに対するＥ−ＤＣＨスケジューリングを遂行しない。すなわち、非最適のスケジューリングＮｏｄｅ Ｂは、レートグラント情報をＵＥに送信しない。ＵＥも上記最適のスケジューリングＮｏｄｅ Ｂからレートグラント情報のみを受信してＥ−ＤＣＨの伝送形式を決定するのに使用する。
【００３４】
（ｂ）時間−伝送率スケジューリングのみを使用するシステムの場合
ソフトハンドオーバー領域に位置したＵＥは、最適のスケジューリングＮｏｄｅ Ｂを選択し、上記選択された最適のスケジューリングＮｏｄｅ Ｂのみがスケジューリング割当て情報を上記ＵＥへ伝送し、ＵＥのアクティブセットに属しているが、最適のスケジューリングＮｏｄｅ ＢではないＮｏｄｅ Ｂは、上記ＵＥに対するスケジューリングを遂行しない。すなわち、最適のスケジューリングＮｏｄｅ ＢではないＮｏｄｅ Ｂは、スケジューリング割当て情報を送信しない。上記スケジューリング割当て情報は、割り当てられた伝送率及び伝送が許容されたタイミング情報を含む。また、ＵＥは、上記最適のスケジューリングＮｏｄｅ Ｂからスケジューリング割当て情報のみを受信してＥ−ＤＣＨの伝送形式を決定するのに使用する。
【００３５】
（ｃ）伝送率スケジューリング及び時間−伝送率スケジューリングを同時に使用するシステムの場合
ソフトハンドオーバー領域に位置したＵＥは、最適のスケジューリングＮｏｄｅ Ｂを選択し、上記選択された最適のスケジューリングＮｏｄｅ Ｂのみが伝送率スケジューリング及び時間−伝送率スケジューリングを遂行して、レートグラント情報又はスケジューリング割当て情報を送信する。ＵＥのアクティブセットに属しているが、最適のスケジューリングＮｏｄｅ ＢではないＮｏｄｅ Ｂは、ＵＥに対する伝送率スケジューリングのみを遂行する。すなわち、最適のスケジューリングＮｏｄｅ ＢではないＮｏｄｅ Ｂは、ＵＥへ上記レートグラント情報のみを伝送することができる。ＵＥは、最適のスケジューリングＮｏｄｅ Ｂから上記レートグラント情報及びスケジューリング割当て情報を受信し、非最適のスケジューリングＮｏｄｅ Ｂから上記レートグラント情報のみを受信する。ＵＥは、上記最適のスケジューリングＮｏｄｅ Ｂからのスケジューリング割当て情報及び非最適のスケジューリングＮｏｄｅ Ｂからのレートグラント情報を使用してＥ−ＤＣＨの伝送形式を決定する。
【００３６】
［１．最適のスケジューリングセル／Ｎｏｄｅ Ｂの決定］
上記のようなソフトハンドオーバー領域に位置したＵＥのスケジューリング方法を実現するために、なによりも優先的に必要な技術が最適のスケジューリングＮｏｄｅ Ｂを決定する方式である。ＵＥは、Ｎｏｄｅ Ｂから受信された各種の情報及びＵＥ内の状態情報を用いて、ＵＥのＥ−ＤＣＨスケジューリングのための最適のスケジューリングＮｏｄｅ Ｂを決定する。
【００３７】
以下、ソフトハンドオーバー領域に位置したＵＥが最適のスケジューリングＮｏｄｅ Ｂを決定する方法について説明する。下記説明において、各Ｎｏｄｅ Ｂが複数のセルを含み、上記セルは、周波数（Frequency Allocation；ＦＡ）及びスクランブリング符号に従って区別されると仮定する。この場合、ＵＥは、特定のセルを最適のスケジューリングセルとして選択するか、又は上記特定のセルが属しているＮｏｄｅ Ｂを最適のスケジューリングＮｏｄｅ Ｂとして選択することができる。
【００３８】
本発明の実施形態によれば、ソフトハンドオーバー領域に位置したＵＥは、アクティブセットに属しているセルのうち、最小の経路損失（path loss）を有するセルを選択し、上記選択されたセルが属するＮｏｄｅ Ｂを最適のスケジューリングＮｏｄｅ Ｂとして選択する。以下、本発明の実施形態に従って具体的な選択方式について詳細に説明する。
【００３９】
（ａ）各セル／Ｎｏｄｅ Ｂの順方向経路損失を考慮する選択方法
ＵＥが通信している各セルは、一本の共通制御パイロットチャンネル（Common Control Pilot Channel；ＣＰＩＣＨ）を有する。ＵＥが上記ＣＰＩＣＨの受信信号コード電力（Received Signal Code Power；ＲＳＣＰ）を測定し、上位階層シグナリング経路を介してシステムから上記ＣＰＩＣＨの送信電力を受信するため、ＵＥは、下記式１を使用して、各セルの順方向経路損失（Downlink_Path_Loss）値を計算する。
【００４０】
（式１）
Downlink_Path_Loss (dB) = Primary CPICH Tx power (dB) -CPICH_RSCP (dB)
ここで、Ｐｒｉｍａｒｙ ＣＰＩＣＨ Ｔｘ ｐｏｗｅｒは、上位階層シグナリング経路を介して受信されたＣＰＩＣＨの送信電力を示し、ＣＰＩＣＨ＿ＲＳＣＰは、ＣＰＩＣＨに対して測定された受信信号コード電力（ＲＳＣＰ）を示す。
【００４１】
式１を使用して、ＵＥは、アクティブセットに属しているセルの順方向経路損失値を計算した後、上記計算された順方向経路損失値を相互に比較して最適のスケジューリングＮｏｄｅ Ｂを選択する。上記順方向経路損失値は、Ｎｏｄｅ ＢとＵＥとの間の最適のチャンネル状況を示す変数になり、最小の経路損失値を有するＮｏｄｅ Ｂは、ＵＥの上りリンク伝送中に一番大きい影響を受ける。上りリンク経路損失値と順方向経路損失値との間には、ある程度の差があるとしても、長い時間区間の間に、順方向経路損失値は、上りリンク経路損失値と同一であると判断することができる。
【００４２】
図８は、ソフトハンドオーバー領域に位置したＵＥと複数のＮｏｄｅ Ｂとの間の通信を示す概念図である。
図８を参照すると、Ｎｏｄｅ Ｂ１（８０１）は、セルＡ（８０３）を管理し、Ｎｏｄｅ Ｂ２（８０２）は、セルＢ８０４及びセルＣ８０５を管理する。このとき、セルＡ８０３、セルＢ８０４、及びセルＣ８０５が重複する領域８０６に位置したＵＥ８１０は、セル８０３、８０４、及び８０５をアクティブセットの構成要素として有し、Ｎｏｄｅ Ｂ８０１及び８０２は、上記アクティブセットに含まれる。上記セル８０３、８０４、及び８０５は、それぞれＣＰＩＣＨ８１１、８１２、及び８１３を伝送し、ＵＥ８１０は、それぞれセル８０３、８０４、８０５からＣＰＩＣＨ８１１、８１２、及び８１３を受信し、また、上位階層シグナリング経路を介してＣＰＩＣＨの送信電力に関する情報をすでに受信した。従って、ＵＥ８１０は、セル８０３、８０４、及び８０５のＣＰＩＣＨ ＲＳＣＰとＣＰＩＣＨ送信電力との差に基づいて順方向経路損失値を計算し、上記計算された経路損失値を比較して、最小の経路損失値を有するセルを選択する。そうすると、ＵＥ８１０は、上記選択されたセルを最適のスケジューリングセルとして選択するか、又は上記選択されたセルを含むＮｏｄｅ Ｂを最適のスケジューリングＮｏｄｅ Ｂとして選択する。
【００４３】
上述した説明において、経路損失値を比較して最小の経路損失値を有するセルを選択する方法を提案した。他の実施形態において、ＵＥは、最小の経路損失値を有するＮｏｄｅ Ｂを選択して最適のスケジューリングＮｏｄｅ Ｂを選択することができる。すなわち、１つのＮｏｄｅ Ｂが管理する複数のセルから受信された上りリンク信号がＮｏｄｅ Ｂでソフト結合されるため、ＵＥは、Ｎｏｄｅ Ｂの単位に経路損失値を計算することができる。このとき、Ｎｏｄｅ Ｂ別に経路損失値を計算する手順は、上述したセル別に経路損失値を計算する手順と同一である。すなわち、ＵＥは、１つのＮｏｄｅ Ｂに属しているすべてのセルの経路損失値を合わせることによって、Ｎｏｄｅ Ｂの経路損失値を得る。そうすると、最小の経路損失値を有するＮｏｄｅ Ｂが最適のスケジューリングＮｏｄｅ Ｂとして選択される。
【００４４】
（ｂ）ＲｏＴを使用する選択方法
最適のスケジューリングＮｏｄｅ Ｂを選択するにおいて、ＵＥは、上述したＣＰＩＣＨの経路損失値の以外の追加の変数として上りリンク負担状況（UL Load Condition）を考慮する。上記上りリンク負担状況情報は、Ｎｏｄｅ ＢがＵＥをスケジューリングする際に使用するＲｏＴのような上りリンク資源の余分を含む。すなわち、上りリンク資源の余分が大きくないＮｏｄｅ ＢであるほどＵＥの上りリンク伝送から大きい影響を受ける。従って、ＵＥは、最大のＲｏＴを有するＮｏｄｅ Ｂを最適のスケジューリングＮｏｄｅ Ｂとして選択する。
【００４５】
ＵＥが最適のスケジューリングＮｏｄｅ Ｂを決定する過程において、上記上りリンク負担状況を使用するために、Ｎｏｄｅ Ｂは、上りリンク負担状況情報をＵＥに提供する。ＵＥがソフトハンドオーバー領域に位置した場合、ＵＥは、アクティブセットに含まれたすべてのセルから上りリンク負担状況情報を受信する。従って、上りリンク負担状況情報を伝送する新たな手順が追加されなければならないし、下記の方法が使用可能である。
【００４６】
上りリンク負担状況情報は、各セル単位に定義することができ、上記セルを管理するＮｏｄｅ Ｂは、上記セルの上りリンク負担状況情報を有する。ここで、ＲｏＴは、Ｎｏｄｅ Ｂの全体受信帯域電力スペクトル密度（full-reception band’s power spectral density）（Ｉｏ）に対するＮｏｄｅ Ｂの熱雑音電力スペクトル密度（Ｎｏ）の比率として計算することができる。従って、上記ＲｏＴは、Ｎｏｄｅ Ｂが上りリンクで上記上りリンクパケットデータサービスのために割り当てることができる無線資源になる。上記上りリンク負担状況情報が上記セルに属するすべてのＵＥには同一の情報になるので、ＵＥのそれぞれに上記上りリンク負担状況情報を別途に伝送するよりは、１回にすべてのＵＥに上記上りリンク負担状況情報を伝送することが資源活用の側面で望ましい。
【００４７】
１つのセルに属するすべてのＵＥに上記上りリンク負担状況情報を伝送する方法は、放送チャンネル（Broadcasting Channel；ＢＣＨ）を用いる。上記ＢＣＨは、セル別に定義されるチャンネルであって、上記各セルに含まれたすべてのＵＥが上記セルに限定された情報を使用することができるように、所定の符号化及び所定の伝送形式を使用する。従って、専用チャンネルを有していないＵＥのみならず、専用チャンネルを有しているＣＥＬＬ−ＤＣＨ（Cell Dedicated Channel）状態にあるＵＥも、Ｅ−ＤＣＨサービスのために、ＢＣＨを受信して復号することによって上記上りリンク負担状況情報を取得する。
【００４８】
図９は、本発明の実施形態によるＢＣＨを介して上りリンク負担状況情報をＵＥへ伝送するための手順を示すシグナリング図である。
図９を参照すると、ＵＥ９０１は、Ｎｏｄｅ Ｂ９０２が管理するセルに属している。ステップＳ９０４で、Ｎｏｄｅ Ｂ９０２は、上記セルの上りリンク負担状況情報をＵＥ９０１を制御する無線網制御器９０３（Serving radio network controller；ＳＲＮＣ）へＮＢＡＰ（Node B Application Part protocol）シグナリングを介して伝送する。ステップＳ９０５で、ＳＲＮＣ９０３は、上記上りリンク負担状況情報をＢＣＨを使用するＲＲＣシグナリングを介してＵＥ９０１へ伝送する。
【００４９】
他の実施形態において、上記上りリンク負担状況情報がソフトハンドオーバー領域に位置したＵＥのみが必要であるので、上記上りリンク負担状況情報は、セル内のすべてのＵＥではなく、上記ソフトハンドオーバー領域に位置したＵＥにのみ伝送することができる。例えば、ＳＲＮＣは、ソフトハンドオーバー領域に位置した各ＵＥに専用チャンネル（ＤＣＨ）を使用して上りリンク負担状況情報を伝送することができる。
【００５０】
図１０は、本発明の実施形態に従ってＲＲＣシグナリングを介して上りリンク負担状況情報を伝送する手順を示すシグナリング図である。
図１０を参照すると、ＵＥ１００１は、Ｎｏｄｅ Ｂ１００２が管理するセルに属しているし、ソフトハンドオーバー領域に位置する。ステップＳ１００４で、Ｎｏｄｅ Ｂ１００２は、上記セルの上りリンク負担状況情報をＵＥ１００１を制御するＳＲＮＣ１００３へＮＢＡＰシグナリングを介して伝送する。ステップＳ１００５で、ＳＲＮＣ１００３は、上記上りリンク負担状況情報をＤＣＨを使用するＲＲＣシグナリングを介してＵＥ１００１へ伝送する。
【００５１】
上述した説明では、ＢＣＨあるいはＤＣＨを使用して上りリンク負担状況情報を伝送する方法を提案した。しかしながら、セル内で上りリンクパケットデータサービスを遂行するＵＥ、ソフトハンドオーバー領域に位置したＵＥ、又は、上りリンク負担状況情報を要求するＵＥへ上りリンク負担状況情報を伝送することができる他のチャンネル又は方法が、本発明の実施形態を使用して実現することができることは明らかである。
【００５２】
（ｃ）複合自動再伝送要求（ＨＡＲＱ）を使用する選択方法
Ｅ−ＤＣＨがＨＡＲＱを支援するので、ＵＥは、Ｅ−ＤＣＨデータの伝送後にＮｏｄｅ Ｂから上記Ｅ−ＤＣＨデータに対するフィードバック情報としてＡＣＫあるいはＮＡＣＫを受信する。このとき、ソフトハンドオーバー領域に位置したＵＥは、複数のＮｏｄｅ ＢからＡＣＫ／ＮＡＣＫを受信する。従って、ソフトハンドオーバー領域に位置したＵＥは、ＵＥのアクティブセットに属しているＮｏｄｅ Ｂのうち、ＡＣＫの比率が高いＮｏｄｅ Ｂが上りリンクチャンネル状況がさらに良いＮｏｄｅ Ｂ、すなわち、ＵＥの上りリンク伝送の間に一番大きく影響を受けるＮｏｄｅ Ｂであると判断することができる。その結果、ＵＥは、ＡＣＫの送信比率が一番高いＮｏｄｅ Ｂを最適のスケジューリングＮｏｄｅ Ｂとして選択する。
【００５３】
（ｄ）順方向経路損失情報、上りリンク負担状況情報、及びＡＣＫ比率情報を使用する選択方法
上記選択方法は、図１１を参照して詳細に説明される。図１１は、ソフトハンドオーバー領域に位置するＵＥが本発明の実施形態に従って上述した情報を使用して最適のスケジューリングセル、又は、最適のスケジューリングＮｏｄｅ Ｂを最終的に選択する方法を示すフローチャートである。
【００５４】
図１１を参照すると、ステップ１１０１で、ＵＥは、アクティブセットに含まれたすべてのセルの順方向経路損失値Ｐａｔｈ＿ｌｏｓｓを比較し、上記セルのうちで、最小の経路損失値Ｍｉｎ＿Ｐａｔｈ＿ｌｏｓｓを有する少なくとも１つのセルを選択する。ステップ１１０１を遂行する過程において、上記経路損失値の量子化方式に従って同一の経路損失値を有するセルが存在することができる。従って、ステップ１１０２で、ＵＥは、最小の経路損失値を有するセルの個数が１つであるか否かを判断する。最小の経路損失値を有するセルの個数が１つである場合に、ＵＥは、ステップ１１０３で、上記最小の経路損失値を有するセルを管理するＮｏｄｅ Ｂを最適のスケジューリングＮｏｄｅ Ｂとして選択する。
【００５５】
しかしながら、ステップ１１０２で、最小の経路損失値を有するセルの個数が１つ以上である場合、ステップ１１０４で、ＵＥは、上記最小の経路損失値を有するセルのうちで、上りリンク負担状況が一番大きい、すなわち、最大のＲｏＴ値Ｍａｘ＿ＲｏＴを有する少なくとも１つのセルを選択する。同様に、最大のＲｏＴ値を有する幾つのセルが存在することが可能なので、ステップ１１０５で、ＵＥは、上記最大のＲｏＴ値を有するセルの個数が１つであるか否かを判断する。上記最大ＲｏＴ値を有するセルの個数が１である場合、ＵＥは、ステップ１１０６で、上記最大ＲｏＴ値を有するセルを管理するＮｏｄｅ Ｂを最適のスケジューリングＮｏｄｅ Ｂとして選択する。一方、上記最大ＲｏＴ値を有するセルの個数が１より大きい場合、ＵＥは、ステップ１１０７で、上記最大ＲｏＴ値を有するセルに対するＡＣＫ比率を比較して、ＡＣＫ比率が一番大きいセルのＮｏｄｅ Ｂを最適のスケジューリングＮｏｄｅ Ｂとして選択する。
【００５６】
上記では、特定のセルを管理するＮｏｄｅ Ｂを最適のスケジューリングＮｏｄｅ Ｂとして選択する場合について説明したが、他の実施形態において、ＵＥは、上記特定のセルを最適のスケジューリングセルとして選択しても良い。また、上記では、セル単位に最適のスケジューリングセルを選択する過程を説明したが、上記の方法とは異なり、Ｎｏｄｅ Ｂ単位に最適のスケジューリングＮｏｄｅ Ｂを選択しても良い。図１１を参照して、これに関する具体的な方法を説明する。
【００５７】
１つのＮｏｄｅ Ｂが管理する幾つのセルから受信された上りリンク信号がＮｏｄｅ Ｂでソフト結合されるので、ＵＥは、Ｎｏｄｅ Ｂ単位に経路損失値を計算することができる。すなわち、ＵＥは、Ｎｏｄｅ Ｂに属しているすべてのセルに対する経路損失値の和を使用してＮｏｄｅ Ｂの経路損失値を計算する。そうすると、ＵＥは、ステップ１１０１で、経路損失値の最小和を有するＮｏｄｅ Ｂを選択し、ステップ１１０２で、上記経路損失値の最小和を有するＮｏｄｅ Ｂの個数が１であるか否かを判断する。上記経路損失値の最小和を有するＮｏｄｅ Ｂの個数が１である場合、ステップ１１０３で、ＵＥは、上記経路損失値の最小和を有するＮｏｄｅ Ｂを最適のスケジューリングＮｏｄｅ Ｂとして選択する。しかしながら、ステップ１１０２で、上記経路損失値の最小和を有するＮｏｄｅ Ｂの個数が１よりも大きい場合は、ＵＥは、上述したように、ステップ１１０４及び後続過程を遂行する。
【００５８】
図１１に示す本発明の実施形態を遂行する過程において、ＵＥは、アクティブセットに含まれている各セルがどのＮｏｄｅ Ｂに属しているかに関する情報を必要とする。すなわち、ＵＥは、同一のＮｏｄｅ Ｂに属している複数のセルに対する経路損失値を合わせるためには、セルが属しているＮｏｄｅ Ｂに関する情報を有しなければならない。このために、ＵＥを制御するＳＲＮＣは、上記アクティブセットに含まれている各セルが属するＮｏｄｅ Ｂに関する情報をＲＲＣメッセージを使用してＵＥへ伝送する。
【００５９】
本発明の実施形態では、最適のスケジューリングセル／Ｎｏｄｅ Ｂを選択するにおいて、上記スケジューリング情報を順方向経路損失情報、上りリンク負担状況情報、及びＡＣＫ比率情報の順に使用したが、システム設計者の選択に従って、上記スケジューリング情報に対する適用順序は、変化することができる。また他の実施形態では、幾つかのスケジューリング情報のみを使用して最適のスケジューリングセル／Ｎｏｄｅ Ｂを選択することもできる。例えば、ＵＥは、上記順方向経路損失情報、上記上りリンク負担状況情報、及び上記ＡＣＫ比率情報のうちの少なくとも１つを使用して最適のスケジューリングセル／Ｎｏｄｅ Ｂを選択することができる。
【００６０】
（ｅ）順方向経路損失情報、上りリンク負担状況情報、及びＡＣＫ比率情報の加重和を使用する選択方法
本発明の実施形態による選択方法を図１２を参照して詳細に説明する。
図１２において、ＵＥは、アクティブセットに含まれている各セルに対して順方向経路損失値１２０１、上りリンク負担状況情報（すなわち、ＲｏＴ値）１２０２、ＡＣＫ比率値１２０３、及び他の基準値１２０４の和を計算する。図１２に示すように、経路損失値１２０１は、乗算器１２０６で加重値Ｗ１（１２０５）と乗じられ、上りリンク負担状況情報（ＲｏＴ値）１２０２は、乗算器１２０８で加重値Ｗ２（１２０７）と乗じられ、ＡＣＫ比率値１２０３は、乗算器１２１０で加重値Ｗ３（１２０９）と乗じられ、他の基準値１２０４は、乗算器１２１２で加重値Ｗ４（１２１１）と乗じられる。このとき、ＲｏＴ値１２０２及びＡＣＫ比率値１２０３は、スケジューリング優先順位に比例するが、順方向経路損失値１２０１は、スケジューリング優先順位に反比例するので、上記加重値Ｗ１（１２０５）は、他の加重値１２０７及び１２０９とは異なり、負の値を有することができる。他の場合、順方向経路損失値１２０１の逆の値は、乗算器１２０６に入力されることができる。
【００６１】
優先順位計算部１２１３は、上記加重値が乗じられた値の加重和（又は加重組合せ）を計算し、上記加重和に基づく該当セルに対する優先順位１２１４を最適のスケジューリングセル選択器１２１７へ出力する。最適のスケジューリングセル選択器１２１７は、ＵＥのアクティブセットに含まれたすべてのセルに対する優先順位１２１４、１２１５、及び１２１６を受信し、加重和１２１４、１２１５、及び１２１６を比較して、一番高い優先順位を有するセルを管理するＮｏｄｅ Ｂを最適のスケジューリングＮｏｄｅ Ｂとして選択する。または、最適のスケジューリングセル選択器１２１７は、上記一番大きい加重和を有するセルを最適のスケジューリングセルとして選択する。
【００６２】
他の実施形態において、ＵＥは、各Ｎｏｄｅ Ｂのセルに対して経路損失値の和、ＲｏＴ値の和、及びＡＣＫ比率値の和に対する加重和を求め、複数のＮｏｄｅ Ｂに対して求められた加重和を比較して最大の加重和を有するＮｏｄｅ Ｂを最適のスケジューリングセルとして選択する。
【００６３】
最適のスケジューリングセル選択器１２１７は、図１２に示した選択方法、又は上述した他の選択方法のうちの１つによって選択された最適のスケジューリングセルを示す情報をＥ−ＤＣＨ送信部１２１９及び制御情報送信部１２２１へ伝送する。制御情報送信部１２２１は、上記最適のスケジューリングセルに関する情報をＵＥと通信する複数のセルへ伝送し、Ｅ−ＤＣＨ送信部１２１９は、上記最適のスケジューリングセル情報に従って最適のスケジューリングセル又は非最適のスケジューリングセルを認識し、上記最適のスケジューリングセル及び上記非最適のスケジューリングセルから受信されたスケジューリング割当て情報あるいはレートグラント情報に従ってＥ−ＤＣＨ伝送率を決定し、上記決定されたＥ−ＤＣＨ伝送率でＥ−ＤＣＨデータを伝送する。
【００６４】
［２．最適のスケジューリングセル／Ｎｏｄｅ Ｂ ＩＤの通知］
これまでは、本発明が提示する最適のスケジューリングＮｏｄｅ Ｂを選択する時に必要とする要素及び最適のスケジューリングＮｏｄｅ Ｂを選択する方法について説明した。下記では、ソフトハンドオーバー領域に位置したＵＥが選択した最適のスケジューリングＮｏｄｅ Ｂを通知する方法について説明する。
【００６５】
まず、上記最適のスケジューリングＮｏｄｅ Ｂを選択する過程において、一次的に最適のスケジューリングセルが選択される。この場合、ＵＥは、セルＩＤを使用して最適のスケジューリングセルのセルＩＤをシステムに通知し、上記システムは、上記最適のスケジューリングセルのセルＩＤに一致するセルを含むＮｏｄｅ Ｂを最適のスケジューリングＮｏｄｅ Ｂとして判断することができる。このためには、セルＩＤを設定するためのシグナリングを必要とする。すなわち、ＵＥがセルＩＤを使用して最適のスケジューリングセル又は最適のスケジューリングＮｏｄｅ Ｂをシステムに通知するために、ＵＥ及びＮｏｄｅ Ｂは、同一のセルＩＤを有しなければならない。
【００６６】
図１３を参照して、本発明の実施形態によるセルＩＤを設定するためのシグナリング方法について説明する。
図１３を参照すると、ＵＥ１３０１は、Ｎｏｄｅ Ｂ１３０２に属しているセルと送受信しており、Ｎｏｄｅ Ｂ１３０２は、Ｉｕｂ接続を介してＤＲＮＣ１３０３に接続され、ＵＥ１３０１を制御するＳＲＮＣ１３０４がＤＲＮＣ１３０３とＩｕｒ接続を成している。Ｅ−ＤＣＨの設定のためには、ＳＲＮＣ１３０４がＤＲＮＣ１３０３にＲＮＳＡＰ（Radio Network Subsystem Application Part protocol）シグナリングのための無線リンク設定要求メッセージ１３１０を伝送すると、ＤＲＮＣ１３０３は、無線リンク設定要求メッセージ１３１０に望ましく含まれた情報をＮＢＡＰシグナリングのための無線リンク設定要求メッセージ１３１１を介してＮｏｄｅ Ｂ１３０２へ伝送する。無線リンク設定要求メッセージ１３１０及び１３１１は、ＵＥ１３０１が通信することができるセルに関する情報を含み、上記セル情報は、上記セルのセルＩＤを望ましく含む。
【００６７】
無線リンク設定要求メッセージ１３１１を受信しているＮｏｄｅ Ｂ１３０２は、無線リンク設定要求メッセージ１３１１に応じて、ＮＢＡＰシグナリングのための無線リンク設定応答メッセージ１３１２をＤＲＮＣ１３０３へ伝送し、ＤＲＮＣ１３０３は、無線リンク設定要求メッセージ１３１０に応じて、無線リンク設定応答メッセージ１３１３をＳＲＮＣ１３０４へ伝送する。上述した過程は、ＵＥ１３０１のアクティブセットに含まれたすべてのセルに同一の方式にて遂行される。
【００６８】
その次に、ＵＥ１３０１のアクティブセットに含まれた各セルのセルＩＤをＵＥ１３０１へ通知するために、ＳＲＮＣ１３０４は、ＲＲＣシグナリングのための無線ベアラー設定メッセージ１３１４を使用してＵＥ１３０１へ各セルに割り当てられたセルＩＤを通知する。ＵＥ１３０１は、ＳＲＮＣ１３０４にＲＲＣシグナリングのための無線ベアラー設定完了メッセージ１３１５を伝送して、セルＩＤの設定を完了する。
この後、ＵＥ１３０１を制御するＳＲＮＣ１３０４は、ＵＥ１３０１のアクティブセットに含まれた各セルが属するＮｏｄｅ Ｂに関する情報を図１３の無線ベアラー設定メッセージ１３１４のようなＲＲＣメッセージを使用してＵＥへ伝送する。
【００６９】
これまでは、最適のスケジューリングセル又は最適のスケジューリングＮｏｄｅ Ｂを選択する過程について説明した。上記最適のスケジューリングセル又は最適のスケジューリングＮｏｄｅ Ｂを選択する過程の後、ＵＥが本発明の実施形態による次の幾つの方法を使用して最適のスケジューリングセルのセルＩＤ、又は、最適のスケジューリングＮｏｄｅ ＢのＮｏｄｅ Ｂ ＩＤを選択する場合、ＵＥは、上記選択されたＩＤに関する情報を通信中であるＮｏｄｅ Ｂに提供する。
【００７０】
一番目の方法において、ＵＥは、最適のスケジューリングセルＩＤ又は最適のスケジューリングＮｏｄｅ Ｂ ＩＤを専用物理制御チャンネル（Dedicated Physical Control CHannel；ＤＰＣＣＨ）を使用してＮｏｄｅ Ｂへ伝送する。図１４を参照すると、本発明の実施形態によるＵＥで決定された最適のスケジューリングセルＩＤ、又は最適のスケジューリングＮｏｄｅ Ｂ ＩＤをＤＰＣＣＨを使用してＮｏｄｅ Ｂへ伝送するＵＥ装置について説明する。
【００７１】
図１４を参照すると、最適のスケジューリングセル／Ｎｏｄｅ Ｂ ＩＤ選択器１４０１は、最適のスケジューリングセルＩＤ又は最適のスケジューリングＮｏｄｅ Ｂ ＩＤを選択し、上記セルＩＤ／Ｎｏｄｅ Ｂ ＩＤは、チャンネルでの雑音ローバスト性を提供するために、チャンネル符号化器１４０２でチャンネル符号化される。上記符号化された信号は、多重化器１４０６でパイロット信号１４０３、電力制御信号１４０４、及び他の信号１４０５と共に多重化 され、ＤＰＣＣＨデータ１４０７を生成する。ＤＰＣＣＨデータ１４０７は、専用物理データチャンネル（Dedicated Physical Data Channel；ＤＰＤＣＨ）１４０８、Ｅ−ＤＰＣＣＨ（Enhanced DPCCH）データ１４０９、及びＥ−ＤＰＤＣＨデータ１４１０と共に多重化器１４１１で多重化された後、変調器１４１２によって変調される。上記変調された信号は、送信器１４１３によってＮｏｄｅ Ｂへ上りリンク伝送される。ここで、Ｅ−ＤＰＤＣＨは、Ｅ−ＤＣＨがマッピングされる物理チャンネルであり、Ｅ−ＤＣＨのための制御情報であって、例えば、Ｅ−ＤＰＤＣＨに対する伝送パラメータを運搬する物理チャンネルである。
【００７２】
二番目の方法において、ＵＥは、最適のスケジューリングセルＩＤ又は最適のスケジューリングＮｏｄｅ Ｂ ＩＤをＥ−ＤＰＣＣＨを使用して伝送する。上記Ｅ−ＤＰＣＣＨは、Ｅ−ＤＣＨのための制御情報を伝送する上りリンクチャンネルであり、Ｅ−ＤＰＣＣＨに運搬される情報は、ＨＡＲＱ情報及び伝送ブロックサイズ（ＴＢＳ）情報を含む。
【００７３】
図１５を参照すると、ＵＥで決定された最適のスケジューリングセルＩＤ又は最適のスケジューリングＮｏｄｅ Ｂ ＩＤをＥ−ＤＰＣＣＨを使用してＮｏｄｅ Ｂへ伝送するＵＥ装置について説明する。
図１５を参照すると、最適のスケジューリングセル／Ｎｏｄｅ Ｂ ＩＤ選択器１５０１は、最適のスケジューリングセルＩＤ又は最適のスケジューリングＮｏｄｅ Ｂ ＩＤを選択し、上記セルＩＤ／Ｎｏｄｅ Ｂ ＩＤは、チャンネルでの雑音ローバスト性を提供するために、チャンネル符号化器１５０２でチャンネル符号化される。上記符号化された信号は、多重化器１５０６でＨＡＲＱ 関連情報１５０３、ＴＢＳ情報１５０４、及び他の制御情報１５０５と共に多重化され、Ｅ−ＤＰＣＣＨデータ１５０７を生成する。Ｅ−ＤＰＣＣＨデータ１５０７は、ＤＰＣＣＨデータ１５０８、ＤＰＤＣＨデータ１５０９、及びＥ−ＤＰＤＣＨデータ１５１０と共に多重化器１５１１で多重化された後、変調器１５１２によって変調される。上記変調された信号は、送信器１５１３によってＮｏｄｅ Ｂに上りリンク伝送される。
【００７４】
三番目の方法において、ＵＥは、最適のスケジューリングセルＩＤ又は最適のスケジューリングＮｏｄｅ Ｂ ＩＤをＥ−ＤＣＨのＭＡＣ−ｅＰＤＵ（Protocol Data Unit）に含ませて伝送する。Ｅ−ＤＣＨのデータ構造は、図１６に示す。
図１６を参照すると、使用者データ部分であるＭＡＣ−ｅＳＤＵ（Service Data Unit）１６０２は、ＨＡＲＱ又はスケジューリング関連情報を含むＭＡＣ−ｅヘッダー１６０１に加えられ、これによって、ＭＡＣ−ｅＰＤＵ１６０４を生成する。すなわち、ＭＡＣ−ｅヘッダー１６０１は、ＭＡＣ−ｅＰＤＵ１６０４のヘッドに位置する情報であるよりは、使用者データを除いた残りのすべての情報を含む部分と解釈されなければならない。ＭＡＣ−ｅＰＤＵ１６０４は、 巡回冗長検査（cyclic redundancy check；ＣＲＣ）１６０３に加えられ、これによって、物理階層で使用された符号化ブロック１６０５を生成する。このとき、ＵＥは、上記最適のスケジューリングセルＩＤ又は最適のスケジューリングＮｏｄｅ Ｂ ＩＤをＭＡＣ−ｅヘッダー１６０１に含ませて伝送し、Ｎｏｄｅ Ｂは、ＭＡＣ−ｅヘッダー１６０１を受信して復号化することによって、自身が最適のスケジューリングセルを含むか、又は最適のスケジューリングＮｏｄｅ Ｂを含むかを判断することができる。このように、ＵＥがＭＡＣ−ｅＰＤＵを使用する場合、最適のスケジューリングＮｏｄｅ Ｂ ＩＤを伝送する制御情報送信部は、Ｅ−ＤＣＨ送信部と一致する。
【００７５】
［３．スケジューリング動作］
下記に、ソフトハンドオーバー領域に位置したＵＥが最適のスケジューリングセル、あるいは、最適のスケジューリングＮｏｄｅ Ｂを選択してシグナリングを遂行した後、上記最適のスケジューリングＮｏｄｅ Ｂ及び非最適のスケジューリングＮｏｄｅ Ｂの具体的なスケジューリング動作について説明する。上述したように、上記最適のスケジューリングＮｏｄｅ Ｂは、ソフトハンドオーバー領域に位置したＵＥのスケジューリングにおいて、一番大きい権限を有する。すなわち、最適のスケジューリングＮｏｄｅ Ｂは、時間伝送率スケジューリングのためにスケジューリング割当て情報を使用しても良く、伝送率スケジューリングのためにレートグラント情報を使用しても良く、又は、時間伝送率スケジューリングのためのスケジューリング割当て情報及び伝送率スケジューリングのためのレートグラント情報を共に使用しても良い。
【００７６】
一方、ＵＥのアクティブセットには含まれるが、最適のスケジューリングＮｏｄｅ Ｂではない非最適のスケジューリングＮｏｄｅ Ｂは、ＵＥのスケジューリングにおいて大きい権限を有しない。すなわち、上記非最適のスケジューリングＮｏｄｅ Ｂは、自身の上りリンク資源をＵＥに能動的に割り当てるよりは、ＵＥによる影響を最小化するように受動的なスケジューリングを遂行する。下記で非最適のスケジューリングＮｏｄｅ ＢのソフトハンドオーバーＵＥに対する本発明の実施形態によるスケジューリング方法について説明する。説明の便宜上、最適のスケジューリングＮｏｄｅ Ｂがスケジューリング割当て情報を伝送するものとする。
【００７７】
非最適のスケジューリングＮｏｄｅ Ｂは、ソフトハンドオーバー領域に位置したＵＥから上りリンク信号を受信するが、最適のスケジューリングＮｏｄｅ Ｂに比べて上りリンク受信による影響を大きく受けない。従って、上記非最適のスケジューリングＮｏｄｅ Ｂの上述した資源状況を効率的に考慮したスケジューリングについて説明する。
【００７８】
第１の実施形態において、非最適のスケジューリングＮｏｄｅ Ｂが２種類の情報を示すことができる１ビットの信号を用いてスケジューリングを遂行する。具体的には、上記非最適のスケジューリングＮｏｄｅ Ｂは、無視（Don't Care）情報及びダウン（Down）情報を示すことができる１ビットのスケジューリンググラントをソフトハンドオーバー領域に位置したＵＥへ伝送する。
【００７９】
ＵＥは、非最適のスケジューリングＮｏｄｅ Ｂから受信された上記スケジューリンググラントが無視情報を意味すると、最適のスケジューリングＮｏｄｅ Ｂからのスケジューリング割当て情報のみを使用してＥ−ＤＣＨのデータ伝送率を決定する。しかしながら、上記非最適のスケジューリングＮｏｄｅ Ｂから受信された上記スケジューリンググラントがダウン情報を意味すると、ＵＥは、上記最適のスケジューリングＮｏｄｅ Ｂからのスケジューリング割当て情報を無視し、Ｅ−ＤＣＨの伝送率を１ステップ減少させる。
【００８０】
上記スケジューリンググラントは、１ビットを用いて伝送され、このとき、発生確率が一番大きい情報は、不連続伝送（discontinuous transmission；ＤＴＸ）に基づく不連続伝送がなされる。すなわち、無視情報がダウン情報に比べて発生する確率が大きいと、上記非最適のスケジューリングＮｏｄｅ Ｂは、スケジューリンググラントを物理チャンネルを介して伝送しないことによって、無視情報を‘０’の値で示し、ダウン情報を‘＋１’又は‘−１’の値を使用して物理チャンネルを介して伝送する。上記ダウン情報が上記無視情報よりも発生確率がさらに大きいと、上述した方法は、反対の方式にて遂行することができる。
【００８１】
２つ以上の非最適のスケジューリングＮｏｄｅ Ｂが存在する場合、ＵＥは、２つ以上のスケジューリンググラントを受信する。この場合、ＵＥは、上記２つ以上のスケジューリンググラントを下記のような方法にて結合することによって、最終スケジューリンググラントを決定する。
【００８２】
‘ＯＲ−ｏｆ−ＤＯＷＮ’の実施形態において、上記受信されたスケジューリンググラントのうちのいずれか１つがダウン情報であれば、ＵＥは、最終スケジューリンググラントをダウンとして判断する。また他の方法にて、加重和の実施形態では、ＵＥは、上記非最適のスケジューリングＮｏｄｅ Ｂから受信されたスケジューリンググラント値を該当Ｎｏｄｅ Ｂに対して割り当てられた加重値とそれぞれ乗じ、その乗算結果を合わせた後、スケジューリンググラントの加重和（weighted-combined scheduling grant）を生成する。その後、ＵＥは、スケジューリンググラントの加重和が無視又はダウンを示すか否かに従って最終スケジューリンググラントを決定する。このとき、各Ｎｏｄｅ Ｂに対して割り当てられた加重値と乗じられるスケジューリンググラント値は、実数を示す軟判定値（soft decision value）又は整数を示す硬判定値（Hard decision value）である。
【００８３】
第２の実施形態において、非最適のスケジューリングＮｏｄｅ Ｂが３種類の情報を示すことができる１ビットの信号を使用してスケジューリングを遂行する。具体的に、上記非最適のスケジューリングＮｏｄｅ Ｂは、無視（Don't Care）情報及びダウン（Down）情報、及びマージナル（Marginal）情報を示すことができる１ビットのスケジューリンググラント情報をソフトハンドオーバー領域に位置したＵＥへ伝送する。
【００８４】
上記非最適のスケジューリングＮｏｄｅ Ｂから受信された上記スケジューリンググラントが無視情報を意味すると、ＵＥは、上記最適のスケジューリングＮｏｄｅ Ｂからのスケジューリング割当て情報のみを用いてＥ−ＤＣＨのデータ伝送率を決定する。しかしながら、上記非最適のスケジューリングＮｏｄｅ Ｂから受信された上記スケジューリンググラントがダウン情報を意味すると、ＵＥは、上記最適のスケジューリングＮｏｄｅ Ｂからのスケジューリング割当て情報を無視し、Ｅ−ＤＣＨの伝送率を１ステップ減少させる。また、上記非最適のスケジューリングＮｏｄｅ Ｂから受信された上記スケジューリンググラントがマージナル情報を意味すると、ＵＥは、確率に基づく方法を使用して、Ｅ−ＤＣＨの伝送率を１ステップ減少させるか否かを判断する。すなわち、ＵＥは、ランダム値を発生させ、上記ランダム値が第１の基準値よりも大きい場合は、上記最適のスケジューリングＮｏｄｅ Ｂのスケジューリングに従う。上記ランダム値が第２の基準値より小さい場合は、ＵＥは、Ｅ−ＤＣＨの伝送率を１ステップ減少させる。しかしながら、上記ランダム値が上記第１の基準値と上記第２の基準値との間である場合は、ＵＥは、Ｅ−ＤＣＨの伝送率を保持する。
【００８５】
スケジューリンググラントは、１ビットを使用して伝送され、このとき、発生確率が一番大きい情報は、ＤＴＸに基づく不連続伝送がなされる。すなわち、無視情報が他の情報に比べて発生する確率が大きいと、上記非最適のスケジューリングＮｏｄｅ Ｂは、スケジューリンググラントを物理チャンネルを介して伝送しないことによって、無視情報を‘０’の値で示し、‘＋１’の値を使用してダウン情報を伝送し、‘−１’の値を使用してマージナル情報を伝送する。しかしながら、上記ダウン情報又はマージナル情報が無視情報よりも発生確率が大きいと、上記一番大きい発生確率を有する情報は、ＤＴＸに基づく不連続伝送がなされる。
【００８６】
２以上の非最適のスケジューリングＮｏｄｅ Ｂが存在する場合、ＵＥは、２以上のスケジューリンググラントを受信する。この場合、ＵＥは、上記２以上のスケジューリンググラントを下記のような方法にて結合することによって最終スケジューリンググラントを決定する。
【００８７】
加重和の実施形態において、ＵＥは、上記非最適のスケジューリングＮｏｄｅ Ｂから受信されたスケジューリンググラント値を該当Ｎｏｄｅ Ｂに対して割り当てられた加重値とそれぞれ乗じて、その乗算結果を合わせた後、スケジューリンググラントの加重和（weighted-combined scheduling grant）を生成する。その後、ＵＥは、スケジューリンググラントの加重和が無視、ダウン、又はマージナルを示すか否かに従って最終スケジューリンググラントを決定する。このとき、各Ｎｏｄｅ Ｂに対して割り当てられた加重値と乗じられるスケジューリンググラント値は、実数を示す軟判定値（soft decision value）又は整数を示す硬判定値（Hard decision value）である。
【００８８】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００８９】
【図１】ＵＭＴＳシステムの無線接続ネットワーク（ＵＴＲＡＮ）の構成を示す図である。
【図２】ＵＥとＮｏｄｅ Ｂとの間のインターフェースを示す従来の階層的な構成を示す図である。
【図３】従来の無線リンクでＥ−ＤＣＨを介して上りリンクパケットデータを伝送する従来の方法を示す概念図である。
【図４】Ｅ−ＤＣＨを介してメッセージを送受信する従来の手順を示すシグナリング図である。
【図５】ＵＥとＮｏｄｅ Ｂとの間で遂行される従来の伝送率スケジューリング方法を示す図である。
【図６】ＵＥとＮｏｄｅ Ｂとの間で遂行される従来の時間−伝送率スケジューリング方法を示す図である。
【図７】ソフトハンドオーバー領域に位置したＵＥの従来のＥ−ＤＣＨ動作を示す図である。
【図８】Ｅ−ＤＣＨ送信ＵＥ、セル、及びＮｏｄｅ Ｂの従来の通信を示す概念図である。
【図９】本発明の実施形態によるＢＣＨを介して上りリンク負担状況情報を伝送するための手順を示すシグナリング図である。
【図１０】本発明の実施形態による専用チャンネルを介して上りリンク負担状況情報を伝送するための手順を示すシグナリング図である。
【図１１】本発明の実施形態による最適のスケジューリングセルを選択する動作を示すフローチャートである。
【図１２】本発明の実施形態による最適のスケジューリングセルを決定する装置を示す図である。
【図１３】本発明の実施形態によるセルＩＤを設定する手順を示すシグナリング図である。
【図１４】本発明の実施形態によるＤＰＣＣＨを使用する最適のスケジューリングセル情報を伝送するＵＥ装置を示す図である。
【図１５】本発明の実施形態によるＥ−ＤＰＣＣＨを使用する最適のスケジューリングセル情報を伝送するＵＥ装置を示す図である。
【図１６】本発明の実施形態による最適のスケジューリングセル情報を伝送するＭＡＣ−ｅＰＤＵの構成を示す図である。
【符号の説明】
【００９０】
１４０１…最適のスケジューリングセル／Ｎｏｄｅ Ｂ ＩＤ選択器
１４０２…チャネル符号化器
１４０３…パイロット信号
１４０４…電力制御信号
１４０５…他の信号
１４０６…多重化器
１４０７…ＤＰＣＣＨデータ
１４０８…専用物理データチャネル
１４０９…Ｅ−ＤＰＣＣＨデータ
１４１０…ＤＰＤＣＨデータ
１４１１…多重化器
１４１２…変調器
１４１３…送信器
【図１】
2005328525.tif 000003
【図２】
2005328525.tif 000004
【図３】
2005328525.tif 000005
【図４】
2005328525.tif 000006
【図５】
2005328525.tif 000007
【図６】
2005328525.tif 000008
【図７】
2005328525.tif 000009
【図８】
2005328525.tif 000010
【図９】
2005328525.tif 000011
【図１０】
2005328525.tif 000012
【図１１】
2005328525.tif 000013
【図１２】
2005328525.tif 000014
【図１３】
2005328525.tif 000015
【図１４】
2005328525.tif 000016
【図１５】
2005328525.tif 000017
【図１６】
2005328525.tif 000018
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
向上した上りリンクパケットデータサービスを支援する移動通信システムにおいて、ソフトハンドオーバーによって複数のセルと通信する端末機が上りリンクパケットデータを送信する方法であって、
順方向経路損失情報、上りリンク負担状況情報、及び肯定応答信号（ＡＣＫ）の比率情報のうちの少なくとも１つに従って、前記端末機に対する前記上りリンクパケットデータサービスをスケジューリングする最適のスケジューリングセルを選択するステップと、
前記選択された最適のスケジューリングセルを示す情報を前記複数のセルに提供するステップと、
前記複数のセルのうちから、前記選択された最適のスケジューリングセル及び選択されない非最適のスケジューリングセルから上りリンクパケットデータの伝送のためのレートグラント情報を受信するステップと、
前記レートグラント情報に従って前記上りリンクパケットデータを前記複数のセルへ伝送するステップと
を含むことを特徴とする方法。
【請求項２】
前記上りリンクパケットデータサービスは、
広帯域符号分割多元接続（ＷＣＤＭＡ）システムの向上した上りリンク専用チャンネル（Ｅ−ＤＣＨ）を介してなされることを特徴とする請求項１記載の方法。
【請求項３】
前記順方向経路損失情報は、
前記複数のセルの各々が送信する共通制御パイロットチャンネル（ＣＰＩＣＨ）に対して測定された受信信号コード電力（ＲＳＣＰ）と前記ＣＰＩＣＨの送信電力との間の差異値として計算されることを特徴とする請求項１記載の方法。
【請求項４】
前記上りリンク負担状況情報は、
前記複数のセルのＲｏＴ値を示し、前記複数のセルから放送チャンネル（ＢＣＨ）又は専用チャンネル（ＤＣＨ）を介して前記端末機に受信されることを特徴とする請求項１記載の方法。
【請求項５】
前記ＡＣＫ比率情報は、
前記複数のセルの各々に対して、前記上りリンクパケットデータサービスに対して受信された肯定応答信号（ＡＣＫ）及び否定応答信号（ＮＡＣＫ）のうち、前記ＡＣＫの比率値として計算されることを特徴とする請求項１記載の方法。
【請求項６】
前記選択するステップは、
前記順方向経路損失情報、前記上りリンク負担状況情報、及び前記ＡＣＫ比率情報のうちの少なくとも２つにあらかじめ決定された加重値を適用して前記複数のセルに対する加重和を計算し、前記加重和に従って最高の優先順位を有するセルを前記最適のスケジューリングセルとして選択するステップを含むことを特徴とする請求項１記載の方法。
【請求項７】
前記選択するステップは、
前記順方向経路損失情報、前記上りリンク負担状況情報、及び前記ＡＣＫ比率情報を順次に適用して前記最適のスケジューリングセルを選択するステップを含むことを特徴とする請求項１記載の方法。
【請求項８】
前記通知するステップは、
前記選択された最適のスケジューリングセルを示すセルＩＤを専用物理制御チャンネル（ＤＰＣＣＨ）を介して前記複数のセルへ伝送するステップを含むことを特徴とする請求項１記載の方法。
【請求項９】
前記提供するステップは、
前記選択された最適のスケジューリングセルを示すセルＩＤを前記上りリンクパケットデータサービスに対する向上した専用物理制御チャンネル（Ｅ−ＤＰＣＣＨ）を介して前記複数のセルへ伝送するステップを含むことを特徴とする請求項１記載の方法。
【請求項１０】
前記提供するステップは、
前記選択された最適のスケジューリングセルを示すセルＩＤを前記上りリンクパケットデータサービスのための媒体アクセス制御プロトコルデータユニット（ＭＡＣ−ｅＰＤＵ）に載せて前記複数のセルへ伝送するステップを含むことを特徴とする請求項１記載の方法。
【請求項１１】
前記伝送するステップは、
前記非最適のスケジューリングセルから受信されたレートグラント情報を示すレートグラント値を結合して最終スケジューリンググラントを決定するステップと、
前記最終スケジューリンググラントがダウン（Ｄｏｗｎ）を示す場合、前記上りリンクパケットデータサービスのための上りリンク伝送率を１ステップ減少させるステップと、
前記最終スケジューリンググラントがダウンを示さないか、又は、前記非最適のスケジューリングセルから前記レートグラント値を受信しなかった場合、前記最適のスケジューリングセルから受信されたレートグラント情報に従って前記上りリンク伝送率を制御するステップと、
前記上りリンク伝送率を用いて前記上りリンクパケットデータを前記複数のセルへ伝送するステップと
を含むことを特徴とする請求項１記載の方法。
【請求項１２】
前記非最適のスケジューリングセルから受信されたレートグラント値のうちのいずれか１つでもダウンを示す場合、前記端末機は、前記最終スケジューリンググラントをダウンとして決定することを特徴とする請求項１１記載の方法。
【請求項１３】
前記非最適のスケジューリングセルから受信されたレートグラント値に該当するセルにあらかじめ設定された加重値を適用して計算されたスケジューリンググラントの加重和がダウンを示す場合、前記端末機は、前記最終スケジューリンググラントをダウンとして決定することを特徴とする請求項１１記載の方法。
【請求項１４】
前記伝送するステップは、
前記非最適のスケジューリングセルから受信されたレートグラント情報を示すレートグラント値を結合して最終スケジューリンググラントを決定するステップと、
前記最終スケジューリンググラントがダウン（Ｄｏｗｎ）を示す場合、前記上りリンクパケットデータサービスのための上りリンク伝送率を１ステップ減少させるステップと、
前記最終スケジューリンググラントが無視（Don't Care）を示すか、又は、前記非最適のスケジューリングセルから前記レートグラント値を受信しない場合、前記最適のスケジューリングセルから受信されたレートグラント情報に従って前記上りリンク伝送率を制御するステップと、
前記最終スケジューリンググラントがマージナル（Marginal）を示す場合、あらかじめ決定された基準値を使用して確率的に前記最適のスケジューリングセルから受信されたレートグラント情報に従って前記上りリンク伝送率を制御するか、又は、前記上りリンク伝送率を１ステップ減少させるステップと、
前記上りリンク伝送率を使用して前記上りリンクパケットデータを前記複数のセルへ伝送するステップと
を含むことを特徴とする請求項１記載の方法。
【請求項１５】
前記非最適のスケジューリングセルから受信されたレートグラント値のうちのいずれか１つでもダウンを示す場合、前記端末機は、前記最終スケジューリンググラントをダウンとして決定し、前記レートグラント値のうちのいずれか１つでもマージナルを示す場合、前記端末機は、前記最終スケジューリンググラントをマージナルとして決定し、前記レートグラント値のすべてが無視を示す場合、前記端末機は、前記最終スケジューリンググラントを無視として決定することを特徴とする請求項１４記載の方法。
【請求項１６】
前記非最適のスケジューリングセルから受信されたレートグラント値に該当するセルにあらかじめ決定された加重値を適用して計算されたスケジューリンググラントの加重和に従って、前記最終スケジューリンググラントをダウン、マージナル、又は、無視として決定することを特徴とする請求項１４記載の方法。
【請求項１７】
向上した上りリンクパケットデータサービスを支援する移動通信システムにおいて、ソフトハンドオーバーによって複数のセルと通信し、上りリンクパケットデータを送信する端末機装置であって、
順方向経路損失情報、上りリンク負担状況情報、及び肯定応答信号（ＡＣＫ）の比率情報のうちの少なくとも１つに従って、前記端末機の前記上りリンクパケットデータサービスをスケジューリングする最適のスケジューリングセルを選択する最適のスケジューリングセル選択器と、
前記選択された最適のスケジューリングセルを示す識別情報を前記複数のセルへ伝送する制御情報送信部と、
前記複数のセル中、前記選択された最適のスケジューリングセル及び選択されなかった非最適のスケジューリングセルから上りリンクパケットデータの伝送のためのレートグラント情報を受信し、前記レートグラント情報に従って前記上りリンクパケットデータを前記複数のセルへ伝送するデータ送信部と
を含むことを特徴とする装置。
【請求項１８】
前記上りリンクパケットデータサービスは、
広帯域符号分割多元接続（ＷＣＤＭＡ）システムの向上した上りリンク専用チャンネル（Ｅ−ＤＣＨ）を介してなされることを特徴とする請求項１７記載の装置。
【請求項１９】
前記順方向経路損失情報は、
前記複数のセルの各々が送信する共通制御パイロットチャンネル（ＣＰＩＣＨ）に対して測定された受信信号コード電力（ＲＳＣＰ）と前記ＣＰＩＣＨの送信電力との間の差異値として計算されることを特徴とする請求項１７記載の装置。
【請求項２０】
前記上りリンク負担状況情報は、
前記複数のセルのＲｏＴ（Rise-over Thermal）値を示し、前記複数のセルから放送チャンネル（ＢＣＨ）又は専用チャンネル（ＤＣＨ）を介して前記端末機へ伝送されることを特徴とする請求項１７記載の装置。
【請求項２１】
前記ＡＣＫ比率情報は、
前記複数のセルの各々に対して、前記上りリンクパケットデータサービスに対して受信された肯定応答信号（ＡＣＫ）及び否定応答信号（ＮＡＣＫ）のうち、前記ＡＣＫの比率値として計算されることを特徴とする請求項１７記載の装置。
【請求項２２】
前記最適のスケジューリングセル選択器は、
前記順方向経路損失情報、前記上りリンク負担状況情報、及び前記ＡＣＫ比率情報のうちの少なくとも２つにあらかじめ決定された加重値を適用して前記複数のセルに対する加重和を計算し、前記加重和に従って最高の優先順位を有するセルを前記最適のスケジューリングセルとして選択することを特徴とする請求項１７記載の装置。
【請求項２３】
前記最適のスケジューリングセル選択器は、
前記順方向経路損失情報、前記上りリンク負担状況情報、及び前記ＡＣＫ比率情報を順次に適用して前記最適のスケジューリングセルを選択することを特徴とする請求項１７記載の装置。
【請求項２４】
前記制御情報送信部は、
前記選択された最適のスケジューリングセルを示すセルＩＤを専用物理制御チャンネル（ＤＰＣＣＨ）を介して前記複数のセルへ伝送することを特徴とする請求項１７記載の装置。
【請求項２５】
前記制御情報送信部は、
前記選択された最適のスケジューリングセルを示すセルＩＤを前記上りリンクパケットデータサービスに対する向上した専用物理制御チャンネル（Ｅ−ＤＰＣＣＨ）を介して前記複数のセルへ伝送することを特徴とする請求項１７記載の装置。
【請求項２６】
前記制御情報送信部は、
前記選択された最適のスケジューリングセルを示すセルＩＤを前記上りリンクパケットデータサービスのための媒体アクセス制御プロトコルデータユニット（ＭＡＣ−ｅＰＤＵ）に載せて前記複数のセルへ伝送することを特徴とする請求項１７記載の装置。
【請求項２７】
前記データ送信部は、
前記非最適のスケジューリングセルから受信されたレートグラント情報を示すレートグラント値を結合して最終スケジューリンググラントを決定し、
前記最終スケジューリンググラントがダウン（Down）を示す場合、前記上りリンクパケットデータサービスのための上りリンク伝送率を１ステップ減少させ、
前記最終スケジューリンググラントがダウンを示さないか、又は、前記非最適のスケジューリングセルから前記レートグラント値を受信しなかった場合、前記最適のスケジューリングセルから受信されたレートグラント情報に従って前記上りリンク伝送率を制御し、
前記上りリンク伝送率を用いて前記上りリンクパケットデータを前記複数のセルへ伝送することを特徴とする請求項１７記載の装置。
【請求項２８】
前記データ送信部は、
前記非最適のスケジューリングセルから受信されたレートグラント値のうちのいずれか１つでもダウンを示す場合、前記端末機は、前記最終スケジューリンググラントをダウンとして決定することを特徴とする請求項２７記載の装置。
【請求項２９】
前記非最適のスケジューリングセルから受信されたレートグラント値に該当するセルにあらかじめ設定された加重値を適用して計算されたスケジューリンググラントの加重和がダウンを示す場合、前記端末機は、前記最終スケジューリンググラントをダウンとして決定することを特徴とする請求項２７記載の装置。
【請求項３０】
前記データ送信部は、
前記非最適のスケジューリングセルから受信されたレートグラント情報を示すレートグラント値を結合して最終スケジューリンググラントを決定し、
前記最終スケジューリンググラントがダウン（Down）を示す場合、前記上りリンクパケットデータサービスのための上りリンク伝送率を１ステップ減少させ、
前記最終スケジューリンググラントが無視（Don't Care）を示すか、又は、前記非最適のスケジューリングセルから前記レートグラント値を受信しない場合、前記最適のスケジューリングセルから受信されたレートグラント情報に従って前記上りリンク伝送率を制御し、
前記最終スケジューリンググラントがマージナル（Marginal）を示す場合、あらかじめ決定された基準値を使用して確率的に前記最適のスケジューリングセルから受信されたレートグラント情報に従って前記上りリンク伝送率を制御するか、又は、前記上りリンク伝送率を１ステップ減少させ、
前記上りリンク伝送率を使用して前記上りリンクパケットデータを前記複数のセルへ伝送することを特徴とする請求項１７記載の装置。
【請求項３１】
前記データ送信部は、
前記非最適のスケジューリングセルから受信されたレートグラント値のうちのいずれか１つでもダウンを示す場合、前記端末機は、前記最終スケジューリンググラントをダウンとして決定し、前記レートグラント値のうちのいずれか１つでもマージナルを示す場合、前記端末機は、前記最終スケジューリンググラントをマージナルとして決定し、前記レートグラント値のすべてが無視を示す場合、前記端末機は、前記最終スケジューリンググラントを無視として決定することを特徴とする請求項３０記載の装置。
【請求項３２】
前記データ送信部は、
前記非最適のスケジューリングセルから受信されたレートグラント値に該当するセルにあらかじめ決定された加重値を適用して計算されたスケジューリンググラントの加重和に従って、前記最終スケジューリンググラントをダウン、マージナル、又は、無視として決定することを特徴とする請求項３０記載の装置。
【請求項３３】
向上した上りリンクパケットデータサービスを支援する移動通信システムにおいて、ソフトハンドオーバーを遂行する端末機と通信する基地局が前記端末機から上りリンクパケットデータを受信する方法であって、
前記端末機が通信する複数のルのうち、選択された最適のスケジューリングセルを示す情報を前記端末機から受信するステップと、ここで、前記最適のスケジューリングセルは、順方向経路損失情報、上りリンク負担状況情報、及び肯定応答信号（ＡＣＫ）比率情報のうちの少なくとも１つに従って前記端末機によって選択され、
前記最適のスケジューリングセル情報に従って、前記選択された最適のスケジューリングセル又は選択されなかった非最適のスケジューリングセルを介して上りリンクパケットデータの伝送のために割り当てられた伝送率を示すレートグラント情報を前記端末機へ伝送するステップと、
前記レートグラント情報に従って、前記端末機から前記上りリンクパケットデータを受信するステップと
を含むことを特徴とする方法。
【請求項３４】
前記上りリンクパケットデータサービスは、
広帯域符号分割多元接続（ＷＣＤＭＡ）システムの向上した上りリンク専用チャンネル（Ｅ−ＤＣＨ）を介してなされることを特徴とする請求項３３記載の方法。
【請求項３５】
前記順方向経路損失情報は、
前記複数のセルの各々が送信する共通制御パイロットチャンネル（ＣＰＩＣＨ）に対して測定された受信信号コード電力（ＲＳＣＰ）と前記ＣＰＩＣＨの送信電力との間の差異値として計算されることを特徴とする請求項３３記載の方法。
【請求項３６】
前記上りリンク負担状況情報は、
前記複数のセルのＲｏＴ（Rise-over Thermal）値を示し、前記複数のセルから放送チャンネル（ＢＣＨ）又は専用チャンネル（ＤＣＨ）を介して前記端末機へ伝送されることを特徴とする請求項３３記載の方法。
【請求項３７】
前記ＡＣＫ比率情報は、
前記複数のセルの各々に対して、前記上りリンクパケットデータサービスに対して受信された肯定応答信号（ＡＣＫ）及び否定応答信号（ＮＡＣＫ）のうち、前記ＡＣＫの比率値として計算されることを特徴とする請求項３３記載の方法。
【請求項３８】
前記最適のスケジューリングセル情報を受信するステップは、
前記選択された最適のスケジューリングセルを示すセルＩＤを専用物理制御チャンネル（ＤＰＣＣＨ）を介して前記端末機から受信するステップを含むことを特徴とする請求項３３記載の方法。
【請求項３９】
前記最適のスケジューリングセル情報を受信するステップは、
前記選択された最適のスケジューリングセルを示すセルＩＤを前記上りリンクパケットデータサービスに対する向上した専用物理制御チャンネル（Ｅ−ＤＰＣＣＨ）を介して前記端末機から受信するステップを含むことを特徴とする請求項３３記載の方法。
【請求項４０】
前記最適のスケジューリングセル情報を受信するステップは、
前記選択された最適のスケジューリングセルを示すセルＩＤを前記上りリンクパケットデータサービスのための媒体アクセス制御プロトコルデータユニット（ＭＡＣ−ｅＰＤＵ）を介して前記端末機から受信するステップを含むことを特徴とする請求項３３記載の方法。
【請求項４１】
前記伝送するステップは、
前記最適のスケジューリングセルを通して前記割り当てられた伝送率を示すレートグラント情報を送信するステップを含むことを特徴とする請求項３３記載の方法。
【請求項４２】
前記伝送するステップは、
前記割り当てられた伝送率に従って、前記非最適のスケジューリングセルを通してダウン（Down）又は無視（Don't Care）を示すレートグラント情報を送信するステップを含むことを特徴とする請求項４１記載の方法。
【請求項４３】
前記伝送するステップは、
前記割り当てられた伝送率に従って、前記非最適のスケジューリングセルを通してダウン（Down）、無視（Don't Care）、又は、マージナル（Marginal）を示すレートグラント情報を送信するステップを含むことを特徴とする請求項４１記載の方法。
【請求項４４】
向上した上りリンクパケットデータサービスを支援する移動通信システムにおいて、ソフトハンドオーバーを遂行する端末機と通信する基地局が前記端末機から上りリンクパケットデータを受信するための装置であって、
前記端末機と通信する前記複数のセルのうち、前記端末機が順方向経路損失、上りリンク負担状況情報、及び肯定応答信号（ＡＣＫ）比率情報のうちの少なくとも１つに従って選択した該当最適のスケジューリングセルを示す情報を前記端末機から受信し、前記上りリンクパケットデータの伝送のために割り当てられた伝送率を示すレートグラント情報を前記端末機へ送信する最適のスケジューリングセルと、
前記端末機と通信する前記複数のセルのうち、前記端末機が順方向経路損失情報、上りリンク負担状況情報、肯定応答信号（ＡＣＫ）比率情報のうちの少なくとも１つに従って選択した該当最適のスケジューリングセルを示す情報を前記端末機から受信し、無視（Don't Care）又はダウン（Down）を意味するレートグラント情報を前記端末機へ送信する非最適のスケジューリングセルと
を含むことを特徴とする装置。
【請求項４５】
前記無視は、
前記端末機が前記最適のスケジューリングセルの前記レートグラント情報に従うことを指示する情報であることを特徴とする請求項４４記載の装置。
【手続補正２】
【補正対象書類名】明細書
【補正対象項目名】００８６
【補正方法】変更
【補正の内容】
【００８６】
２以上の非最適のスケジューリングＮｏｄｅ Ｂが存在する場合、ＵＥは、２以上のスケジューリンググラントを受信する。この場合、ＵＥは、上記２以上のスケジューリンググラントを下記のような方法にて結合することによって最終スケジューリンググラントを決定する。
‘ＯＲ−ｏｆ−Ｗｏｒｓｔ’の実施形態において、上記受信されたスケジューリンググラントのうちのいずれか１つがダウン情報であれば、ＵＥは、最終スケジューリンググラントをダウンとして判断し、上記受信されたスケジューリンググラントのうちのいずれか１つがマージナル情報であれば、ＵＥは、最終スケジューリンググラントをマージナルとして判断し、すべてのスケジューリンググラントが無視情報であれば、ＵＥは、最終スケジューリンググラントを無視として判断する。
【外国語明細書】
2005328525.tif 000019
2005328525.tif 000020
2005328525.tif 000021
2005328525.tif 000022
2005328525.tif 000023
2005328525.tif 000024
2005328525.tif 000025
2005328525.tif 000026
2005328525.tif 000027
2005328525.tif 000028
2005328525.tif 000029
2005328525.tif 000030
2005328525.tif 000031
2005328525.tif 000032
2005328525.tif 000033
2005328525.tif 000034
2005328525.tif 000035
2005328525.tif 000036
2005328525.tif 000037
2005328525.tif 000038
2005328525.tif 000039
2005328525.tif 000040
2005328525.tif 000041
2005328525.tif 000042
2005328525.tif 000043
2005328525.tif 000044
2005328525.tif 000045
2005328525.tif 000046
2005328525.tif 000047
2005328525.tif 000048
2005328525.tif 000049
2005328525.tif 000050
2005328525.tif 000051
2005328525.tif 000052
2005328525.tif 000053
2005328525.tif 000054
2005328525.tif 000055
2005328525.tif 000056
2005328525.tif 000057
2005328525.tif 000058
2005328525.tif 000059
2005328525.tif 000060
2005328525.tif 000061
2005328525.tif 000062
2005328525.tif 000063
2005328525.tif 000064
2005328525.tif 000065
2005328525.tif 000066
2005328525.tif 000067
2005328525.tif 000068
2005328525.tif 000069
2005328525.tif 000070
2005328525.tif 000071